(57)【要約】  Ｘ線および透視画像撮像のための方法およびシステム、特に、対象物のデジタル画像または熱画像を撮像するために操作可能なハンドヘルドＸ線エミッタ、対象物の静的Ｘ線画像および動的透視画像を撮像するために操作可能なステージ、Ｘ線放出の追跡および位置決めのためのシステム、Ｘ線放出のフィールドを自動的に制限するための装置、および使用方法を組み込んだ汎用性の高いマルチモード撮像システムに関する。透視撮像やレントゲン撮像のための正しい技術的要因を予め決定するための自動システム。
2021532960.tif 000002
【特許請求の範囲】
【請求項１】
エネルギーの曝露時に撮像信号を生成するように構成された撮像センサを有する非侵襲的撮像システムで使用するための放出装置であって、
エネルギーを生成するように構成されたエネルギー源と、
前記エネルギー源を前記放出装置内に導くように構成された放出通路と、
前記放出通路内に放出窓を形成するように前記放出装置内に周囲の構造体に位置決めされた複数のブレードであって、前記放出窓が前記放出通路を通過するエネルギーをフィルタリングし、前記複数のブレードが前記複数のブレードの近位側に配置された近位側旋回ベアリングおよび前記複数のブレードの遠位側に配置された遠位側旋回ベアリングを有するブレードハウジング内に収容された、複数のブレードと、
前記近位側旋回ベアリングに結合された第１のモータおよび前記遠位側旋回ベアリングに結合された第２のモータからなるモータアセンブリと、
を備え、前記第１のモータおよび前記第２のモータが反対方向に回転することにより、前記近位側旋回ベアリングおよび前記遠位側旋回ベアリングが反対方向に移動し、それにより、前記放出窓の大きさが増減され、
前記第１のモータおよび前記第２のモータが同じ方向に回転することにより、前記近位側旋回ベアリングおよび前記遠位側旋回ベアリングが同じ方向に回転し、それにより、前記放出窓が回転される、放出装置。
【請求項２】
前記非侵襲的撮像システムが、前記撮像センサに対して固定的に配置された複数の位置追跡要素を含み、前記放出装置が、
前記撮像センサに対する前記放出装置の動きを追跡するために、前記複数の位置追跡要素から１つ以上の信号を受信するように構成された制御システムであって、前記制御システムは、前記１つ以上の信号を使用して、前記撮像センサへの前記エネルギーの曝露を制限するために前記放出窓の前記大きさを調整するように前記モータアセンブリを制御する、制御システムをさらに備え、
前記制御システムは、前記１つ以上の信号を使用して、前記モータアセンブリをさらに制御して、正方形のプロファイル内に前記撮像センサ上の前記エネルギーの曝露を維持するために、前記放出窓の前記回転を調整する、請求項１に記載の放出装置。
【請求項３】
前記制御システムが、前記複数のブレードのそれぞれに配置された少なくとも１つのエンコーダを使用して、前記複数のブレードのそれぞれの位置を監視する、請求項２に記載の放出装置。
【請求項４】
前記複数の位置追跡要素のうちの少なくとも１つを識別するように構成された少なくとも１つの光学センサをさらに備え、同少なくとも１つの光学センサは前記放出装置と前記少なくとも１つの位置追跡要素との間の距離を測定するように構成されている、請求項２に記載の放出装置。
【請求項５】
前記少なくとも１つの位置追跡要素が複数の赤外線エミッタを含む、請求項１に記載の放出装置。
【請求項６】
前記エネルギー源が、Ｘ線エネルギーを放出するように構成されている、請求項１に記載の放出装置。
【請求項７】
前記撮像センサに隣接して配置された物体までの距離を測定するように構成された距離センサと、前記物体までの前記距離が最小値未満でない限り、前記エネルギーの放出を防止する制御システムとをさらに備えている、請求項１に記載の放出装置。
【請求項８】
前記放出装置に電気的に結合されたユーザ制御インターフェースをさらに備え、前記ユーザ制御インターフェースは、前記放出装置の動作を制御するように構成されている、請求項１に記載の放出装置。
【請求項９】
前記放出装置上に少なくとも１つのカメラをさらに備え、前記カメラは、可視画像、熱画像または赤外線画像を撮像する、請求項８に記載の放出装置。
【請求項１０】
物体を非侵襲的に撮像する方法であって、
複数の位置追跡要素がそれぞれ固有の信号を生成し、複数の位置追跡要素が境界を有する領域を形成し、前記境界の各部分が前記複数の位置追跡要素のうちの１つの対応する前記信号によって識別可能であるように、前記複数の位置追跡要素と前記物体との相対的な位置に放出装置を移動させる工程と、
エネルギーが画像データを生成するように構成された撮像センサによって受け取られるように、前記物体上に露光パターンを形成するために、前記放出装置の放出窓を通してエネルギーを放出する工程と、
前記複数の位置追跡要素に対する前記放出装置の位置および配向を決定する工程と、
前記撮像センサへの前記露光パターンを制限するために、前記放出装置の位置および配向の変化に応答して、前記放出窓の大きさおよび前記放出装置に対する前記放出窓の回転を連続的に調整する工程と、
を含む、物体を非侵襲的に撮像する方法。
【請求項１１】
前記放出装置の前記位置および配向を用いて画像データを調整する工程をさらに含む、請求項１０に記載の方法。
【請求項１２】
前記放出装置の前記位置を決定する工程は、前記位置を決定するために前記放出装置上の光学式センサで前記複数の位置追跡要素を検知する工程を含む、請求項１０に記載の方法。
【請求項１３】
前記放出装置の前記配向を決定する工程は、前記放出装置内のセンサを使用して前記放出装置の前記配向を検知する工程を含む、請求項１２に記載の方法。
【請求項１４】
前記放出窓の前記大きさおよび前記放出装置に対する前記放出窓の前記回転を連続的に調整する工程は、前記放出窓の前記大きさをスケーリング調整する工程と、前記撮像センサ上の前記露光パターンの面積を最大化するように前記放出窓の前記回転を調整する工程とを含む、請求項１０に記載の方法。
【請求項１５】
前記エネルギーを放出する工程が、Ｘ線エネルギーを放出する工程を含む、請求項１０に記載の方法。
【請求項１６】
エネルギーの曝露時に撮像信号を生成するように構成された撮像センサと、検査領域に固定された複数の位置追跡要素とを有する非侵襲的撮像システムと組み合わせて使用するための放出装置であって、
放出通路と連通するエネルギー源と、
前記放出通路を通過する前記エネルギーをフィルタリングする放出窓を形成するために前記放出装置内に移動可能に配置された複数のリーフ構造体と、
前記放出装置内で前記放出窓の大きさを調整するために前記複数のリーフ構造体に対して少なくとも１つのリーフ構造体を相対的に移動させ、前記放出装置に対する前記放出窓の回転を調整するために前記複数のリーフ構造体を回転させるように構成されたモータアセンブリと、
前記撮像センサに対する前記放出装置の動きを追跡するために、前記複数の位置追跡要素から１つ以上の信号を受信するように構成された制御システムと、
を備え、前記制御システムは、前記１つ以上の信号を使用して、前記撮像センサへの前記エネルギーの前記曝露を制限するために前記放出窓の前記大きさを調整するように前記モータアセンブリを制御し、
前記制御システムは、前記１つ以上の信号を使用して、前記モータアセンブリをさらに制御して、前記放出装置の動きの間に、前記撮像センサ上の前記エネルギーの前記曝露を正方形のプロファイルに維持するために前記放出窓を回転させるように前記放出装置内の前記複数のリーフ構造体を回転させる、放出装置。
【請求項１７】
検査領域に対して固定的に位置決めされた複数の位置追跡要素を有する非侵襲的撮像システムの放出装置と組み合わせて使用するためのコリメータであって、
前記非侵襲的撮像システムの放出源からの放出エネルギーを伝達するように構成された放出通路と、
前記放出通路内に放出窓を形成するように周囲の構造体に前記放出装置内に位置決めされた複数のブレードであって、前記放出窓が前記放出通路を通過する前記エネルギーをフィルタリングし、前記複数のブレードは、前記複数のブレードの近位側に配置された近位側旋回ベアリングおよび前記複数のブレードの遠位側に配置された遠位側旋回ベアリングを有するブレードハウジング内に収容される、複数のブレードと、
前記近位側旋回ベアリングに結合された第１のモータおよび前記遠位側旋回ベアリングに結合された第２のモータを含むモータアセンブリと、
を備え、前記第１のモータおよび前記第２のモータが反対方向に回転することにより、前記近位側旋回ベアリングおよび前記遠位側旋回ベアリングが反対方向に移動し、それにより、前記放出窓の大きさが増減され、
前記第１のモータおよび前記第２のモータが同じ方向に回転することにより、前記近位側旋回ベアリングおよび前記遠位側旋回ベアリングが同じ方向に回転し、それにより、前記放出窓が回転される、コリメータ。
【請求項１８】
各々が境界を有する領域の周囲に固定位置に配置された複数の位置追跡要素と組み合わせて使用するための非侵襲的撮像システムであって、
エネルギーを放出するように構成された放出装置であって、撮像装置は、前記放出装置内に放出窓を形成する複数の調整可能な複数のリーフ部材を有するコリメータアセンブリ、および前記複数の調整可能なリーフ部材のうちの少なくとも１つを移動させて前記放出窓の大きさを調整し、前記複数の調整可能なリーフ部材を前記放出装置に対して相対的に回転させて前記放出窓の回転を調整するように構成されたモータアセンブリを有する、放出装置と、
前記放出装置および撮像センサが整列した位置にあるときに、前記エネルギーの受取時に撮像信号を生成するように構成された撮像センサであって、前記放出装置は、前記領域に対して相対的に移動可能である、撮像センサと、
前記複数の位置追跡要素のうちの少なくとも１つの位置追跡要素と前記撮像センサとの間の第１の座標測定を決定するように構成された制御システムであって、前記制御システムは、前記放出装置と前記少なくとも１つの位置追跡要素との間の第２の座標測定を決定するように構成されており、前記制御システムは、前記第１の座標測定および前記第２の座標測定を使用して、前記複数の位置追跡要素のそれぞれからの距離と組み合わせた配向データを使用して、前記放出装置の前記位置を決定するように構成されている、制御システムと、
を備え、前記制御システムが、前記配向データを使用して、前記複数の位置追跡要素に対する前記放出装置の動きに応じて、前記放出窓の前記大きさおよび前記放出窓の前記回転を動的に調整するように前記モータアセンブリを制御する、非侵襲的撮像システム。
【請求項１９】
対象物の放射線画像を撮影するためのシステムであって、
放出装置の起動時に複数の出力パラメータの下でエネルギーを放出するように構成された放出装置と、
撮像センサへのエネルギーの曝露時に放射線撮像信号を生成するように構成された撮像センサと、
前記放出装置または前記撮像センサに結合された複数のセンサからなる位置追跡システムであって、前記放出装置と前記撮像センサとの間の配向を追跡するように構成された位置追跡システムと、
前記対象物の画像を撮影するように構成されたカメラと、
制御部と、を備え、前記制御部は、
前記撮像センサに対する前記放出装置の前記配向を追跡する際に前記位置追跡システムの少なくとも１つのセンサパラメータを決定し、前記撮像センサに対する前記放出装置の少なくとも１つのセンサパラメータが少なくとも１つ以上の動作安全パラメータを満たしていることを確認し、
前記対象物の前記画像を分析して、以前に得られた画像からなるコンピュータビジョン分類器データベースを使用して前記対象物に分類を割り当て、
前記少なくとも１つのセンサパラメータ、前記対象物の前記分類、およびセンサパラメータを含む以前に得られたデータの推定器データベースを用いて、少なくとも１つの推論された動作パラメータを推定し、
前記複数の出力パラメータのうちの少なくとも１つの出力パラメータを前記少なくとも１つの推論された動作パラメータに設定し、前記放出装置からのエネルギーの放出を開始し、
前記エネルギーの前記曝露から前記撮像センサによって生成された前記放射線撮像信号を用いて放射線画像を処理し、
前記放射線画像をディスプレイに送信するように構成される、対象物の放射線画像を撮影するためのシステム。
【請求項２０】
前記制御部が、前記放射線画像を調整するために前記システムとの少なくとも１つのユーザ相互作用を記録するようにさらに構成されている、請求項１９に記載のシステム。
【請求項２１】
前記少なくとも１つのユーザ相互作用が、明るさ、シャープネス、コントラスト、位置、ズーム、回転、およびそれらの任意の組み合わせからなる群から選択される前記放射線画像に対する調整を含む、請求項２０に記載のシステム。
【請求項２２】
前記システムとの前記ユーザ相互作用が、前記放射線画像の操作を含む、請求項２０に記載のシステム。
【請求項２３】
前記制御部が、前記放射線画像を調整するために前記システムとの前記ユーザ相互作用の持続時間を記録するように構成されている、請求項２０に記載のシステム。
【請求項２４】
前記少なくとも１つ以上の動作安全パラメータが、線源から対象物までの距離、線源から検知器までの距離、入射角、線源からセンサまでのアライメント、および前記放出装置の温度からなる群から選択されるパラメータを含む、請求項１９に記載のシステム。
【請求項２５】
前記制御部が、前記少なくとも１つ以上の動作安全パラメータを使用して、少なくとも１つの推論された動作パラメータを推定するようにさらに構成されている、請求項１９に記載のシステム。
【請求項２６】
前記制御部が、前記位置追跡システムを使用して、前記撮像装置と前記撮像センサとの間のアライメントをさらに決定する、請求項１９に記載のシステム。
【請求項２７】
前記対象物が患者の身体部分を含み、前記制御部は、ＣＰＴコードを使用して前記少なくとも１つの推論された動作パラメータを決定するようにさらに構成されている、請求項１９に記載のシステム。
【請求項２８】
前記制御部が、生体認証データを使用して前記少なくとも１つの推論された動作パラメータを追加的に決定するようにさらに構成されている、請求項２７に記載のシステム。
【請求項２９】
データ記憶装置をさらに備える、請求項１９に記載のシステム。
【請求項３０】
前記データ記憶装置が基準画像のデータベースを含み、前記制御部が前記基準画像のデータベースを使用して前記対象物の前記画像を解析するように構成されている、請求項２９に記載のシステム。
【請求項３１】
前記データ記憶装置が、放射線パラメータを複数の過去のセンサデータおよび複数の過去の分類データに関連付ける少なくとも１つの統計モデルを含み、前記制御部が、前記統計モデルを使用して前記少なくとも１つの推論された動作パラメータを追加的に決定するように構成されている、請求項２９に記載のシステム。
【請求項３２】
対象物の放射線画像を撮影する方法であって、
放出装置、撮像センサ、少なくとも１つのセンサからなる位置追跡システム、およびカメラを備える放射線撮像システムを提供する工程であって、
前記放出装置は、前記放出装置の起動時に複数の出力パラメータの下でエネルギーを放出するように構成され、
前記撮像センサは、前記撮像センサへのエネルギーの曝露時に放射線撮像信号を生成するように構成され、
前記位置追跡システムおよび少なくとも１つのセンサは、前記放出装置と前記撮像センサとの間の配向を追跡するように構成され、
前記カメラは、前記対象物の画像を撮影するように構成される、放射線撮像システムを提供する工程と、
前記撮像センサに対する前記放出装置の前記配向を追跡する際に、少なくとも１つのセンサパラメータを決定する工程と、
前記少なくとも１つのセンサパラメータが少なくとも１つ以上の動作安全パラメータを満たしていることを確認する工程と、
以前に取得された画像からなるコンピュータビジョン分類器データベースを使用して前記対象物の前記画像を分析することにより前記対象物に分類を割り当てる工程と、
前記少なくとも１つのセンサパラメータ、前記対象物の前記分類、およびセンサパラメータを含む以前に取得されたデータの推定器データベースを使用して少なくとも１つの推論された動作パラメータを推定する工程と、
前記複数の出力パラメータのうちの少なくとも１つの出力パラメータを前記少なくとも１つの推論された動作パラメータに設定する工程と、
前記放出装置からのエネルギーの放出を開始する工程と、
エネルギーの前記曝露から前記撮像センサにより生成された前記放射線撮像信号を使用して放射線画像を処理する工程と、
前記放射線画像をディスプレイに送信する工程と、
を含む、対象物の放射線画像を撮影する方法。
【請求項３３】
前記放射線画像を調整するために、前記放射線撮像システムとの少なくとも１つのユーザ相互作用を記録する工程をさらに含む、請求項３２に記載の方法。
【請求項３４】
前記少なくとも１つのユーザ相互作用が、明るさ、シャープネス、コントラスト、位置、ズーム、回転、およびそれらの組み合わせからなる群から選択される、前記放射線画像に対する調整を含む、請求項３３に記載の方法。
【請求項３５】
前記放射線画像をさらに含む、請求項３３に記載の方法。
【請求項３６】
前記放射線画像を調整するために前記システムとの前記ユーザ相互作用の持続時間を記録する工程をさらに含む、請求項３３に記載の方法。
【請求項３７】
前記少なくとも１つ以上の動作安全パラメータが、線源から対象物までの距離、線源から検知器までの距離、入射角、線源からセンサまでのアライメント、および前記放出装置の温度からなる群から選択されるパラメータを含む、請求項３２に記載の方法。
【請求項３８】
前記少なくとも１つ以上の動作安全パラメータを用いて、前記少なくとも１つの推論された動作パラメータを推定する工程をさらに含む、請求項３２に記載の方法。
【請求項３９】
前記位置追跡システムを使用して、前記撮像装置と前記撮像センサとの間のアライメントを決定する工程をさらに含む、請求項３２に記載の方法。
【請求項４０】
前記対象物が患者の身体部分を含み、ＣＰＴコードを使用して追加的に前記少なくとも１つの推論された作動パラメータを決定する工程をさらに含む、請求項３２に記載の方法。
【請求項４１】
生体情報データを使用して前記少なくとも１つの推論された動作パラメータを追加的に決定する工程をさらに含む、請求項４０に記載の方法。
【請求項４２】
前記システムによる分析のためにデータ記憶装置からデータを引き出す工程をさらに含む、請求項３２に記載の方法。
【請求項４３】
前記データ記憶装置が基準画像のデータベースを含み、前記基準画像のデータベースを使用して前記対象物の前記画像を解析する工程をさらに含む、請求項４２に記載の方法。
【請求項４４】
前記データ記憶装置が、放射線パラメータを複数の過去のセンサデータおよび複数の過去の分類データに関連付ける少なくとも１つの統計モデルを含み、前記統計モデルを使用して、前記少なくとも１つの推論された動作パラメータを追加的に決定する工程をさらに含む、請求項４２に記載の方法。
【請求項４５】
複数の放射線撮像システムのうちのいずれかの自動露光設定を決定する方法であって、各放射線撮像システムは、カメラ、放出装置、撮像センサ、１つ以上のセンサ、および前記放出装置と前記撮像センサとの間の配向を追跡するために前記１つ以上のセンサを使用するように構成された制御部を含む、方法は、
センサデータ、相互作用データ、手術データおよびそれらの任意の組み合わせからなる群から選択されたデータを含むグローバル測定データベースをコンパイルする工程であって、データは前記複数の放射線撮像システムのいずれかから経時的に収集され、前記センサデータは前記１つ以上のセンサからの直接測定値を含み、前記相互作用データは放射線画像を調整するために前記複数の放射線撮像システムのいずれかと相互作用を行う操作者の相互作用を含み、前記手術データは前記複数の放射線撮像システムのいずれかによって検査された任意の患者の手術の詳細を含む、グローバル測定データベースをコンパイルする工程と、
前記複数の放射線撮像システムのいずれかからの生の撮像データを含む撮像保存データベースをコンパイルする工程と、
前記グローバル測定データからの前記センサデータ、前記相互作用データ、前記手術データと前回の推定器データとの間の統計的関係を分析する工程であって、前記前回の推定器データは、前回の捕捉されたセンサデータ、前回の捕捉された相互作用データ、および前回の捕捉された手術データを含み、前記統計的関係を分析すると、修正された推定器データが生成される、統計的関係を分析する工程と、
改訂されたコンピュータビジョン分類器データを生成するために、前記生のキャプチャデータ、手術データ、および現在のコンピュータビジョン分類器データを分析する工程と、
前記改訂された推定器データおよび前記改訂されたコンピュータビジョン分類器データをアクティブ放射線撮像システムに送信する工程と、
を含み、これにより、前記アクティブ放射線撮像システムは、
ｉ）前記改訂されたコンピュータビジョン分類器データを使用して、前記アクティブ放射線撮像システムのカメラから撮影された被検者の画像を解析して、前記画像に分類を割り当てることと、
ｉｉ）前記センサデータ、前記分類および前記改訂された推定器データを使用して、前記アクティブ放射線撮像システムの少なくとも１つの推論された動作パラメータを推定することと、を有効化される、複数の放射線画像撮影システムのいずれかの自動露出設定を決定する方法。
【請求項４６】
前記撮像保存データベースをコンパイルする工程が、前記生の撮像データを生成する特定の放射線撮像システムに関する情報をさらに含む、請求項４５に記載の方法。
【請求項４７】
前記相互作用データが、明るさ、シャープネス、コントラスト、位置、ズーム、回転、およびそれらの任意の組み合わせからなる群から選択される前記放射線画像に対する調整を含む、請求項４５に記載の方法。
【請求項４８】
前記相互作用データが、前記放射線画像を調整するために、前記複数の放射線撮像システムのいずれかとのユーザ相互作用の持続時間を含む、請求項４７に記載のシステム。
【請求項４９】
前記手術データがＣＰＴコードである、請求項４５に記載の方法。
【請求項５０】
前記改訂された推定器データおよび前記改訂されたコンピュータビジョン分類器データを前記アクティブ放射線撮像システムに送信する工程は、前記改訂された推定器データおよび前記改訂されたコンピュータビジョン分類器データを前記アクティブ放射線撮像システムと通信可能な記憶装置上に格納する工程を含む、請求項４５に記載の方法。
【発明の詳細な説明】
【技術分野】
【０００１】
本発明は、一般に、Ｘ線および透視画像撮影のための改良された方法およびシステム、特に、対象物のデジタル画像または熱画像を撮像するために操作可能なハンドヘルドＸ線エミッタ、対象物の静的Ｘ線画像および動的透視画像を撮像するために操作可能なステージ、Ｘ線放出の追跡および位置決めのためのシステム、Ｘ線放出のフィールドを自動的に制限するための装置、および使用方法を組み込んだ汎用性の高いマルチモード撮像システムに関するものである。また、本発明は、透視撮影およびレントゲン撮影のための正しい技術要因を事前に自動的に決定するための自動システムを含む。センサ駆動、反復、ネットワーク化された継続的に改善された演算アプローチを利用することで、より迅速に、かつより正確な画像を操作者の入力なしでキャプチャすることができ、同時に患者、操作者、スタッフに対する被曝量を低減することができる。
【背景技術】
【０００２】
現在の整形外科手術用透視鏡装置は、放射線源をイメージインテンシファイアに固定された大型の「Ｃアーム」で固定している。これらの大型で携帯性の低い機械の操作は困難であり、かつ時間がかかる。達成可能な視野に合わせて被写体の位置を頻繁に変更する必要があるが、これは手順の敏感な段階で問題になり得る。このように、Ｃアームは、背骨およびより大きな関節の外科的治療に対して人間工学的に適しているが、手／手首／腕および足／足首／下肢四肢の外科手術に関しては、既存のユニットは、関連する解剖学的組織がより小さく、外科医がより移動可能である場合には、重くて煩雑である。既存の透視機も高価であり、かつ大量の放射線を放出する。多くの場合、これらのより大きな放射線量は、例えば四肢などのよりデリケートな処置には必要なく、不必要に患者および外科医をこれらのより高い線量にさらす。
【０００３】
今日の外科環境では、関連する外科解剖学や病理学を文書化するために、デジタル写真や動画がしばしば必要とされている。熱画像法は、特に四肢の外科医にとっても有用なツールとなり得る。熱画像法は、四肢または指への血液供給が脅かされているかどうか、および再灌流処置が必要かどうかを判断することを支援するために使用されてもよい。熱画像法を追加することで、術中の意思決定の指針となる迅速かつシンプルなツールが提供される。しかしながら、既存の透視画像撮影装置はＸ線画像のみを撮影するため、デジタル画像撮影装置および／または熱画像撮影装置を切り替える必要があり、これにより手術の完了に遅れが生じる可能性がある。さらに、多くの状況では、デジタルカメラまたはサーマルカメラは無菌装置ではないため、外科医は、外科領域を侵害し、写真を撮ってからスクラブをして戻るか、またはアシスタントに写真を撮らせることを余儀なくされ、これらは、画像の相関関係についての混乱を引き起こす可能性がある。
【０００４】
歴史的には、Ｘ線画像はイメージインテンシファイア装置を用いて撮像されてきた。その設計および構造のため、これらの装置のアクティブ領域は伝統的に円形である。製造プロセスのため、デジタル部品を利用する現代のＸ線検知器のアクティブ領域は、典型的には矩形状になっている。
使用者および被写体に対して安全な作動環境を提供するためには、Ｘ線放出が確実にＸ線検知器のアクティブ領域のみを照らすようにすることが必要である。この安全条件を達成するために、Ｘ線ビームの経路に直接、ビームの大きさおよび形状を制限する装置が配置されている。この装置はコリメータと呼ばれている。
【０００５】
Ｘ線源とＸ線検知器との間の配向および距離が固定されているほとんどの固定位置Ｘ線システムには、校正プロセスの間に一般的にサイズ調整されて配置される静的コリメータが設けられる。この校正処理は滅多に行われず、通常は年に一度の頻度で行われる。
【０００６】
Ｘ線源の配向は固定されているが、Ｘ線検知器とＸ線源との間の距離が可変であるほとんどの動的位置Ｘ線システムでは、検知器とＸ線源との間の距離が変化すると、その開口の大きさを調整することができるコリメータが設けられるであろう。
【０００７】
新しい自由に配置できるＸ線システムは、操作者が任意の方向に線源および検知器を配置できるようにするためのセンサの配列を使用する。コリメーションの観点からは、従来のコリメータ設計では対応できなかった新たな課題が生じる。
【０００８】
操作者が任意の位置で線源を配向することができるようにしながら、Ｘ線検知器の完全な矩形の視野を照らすためには、動的なローリングコリメータを利用する必要がある。センサアレイを利用して、装置は、線源内のコリメータの大きさおよび角度のずれを調整することで、アライメント位置に関係なく検知器への正方形の投影を調整することができる。
【０００９】
そのため、外科医が装置を再配置することなくＸ線を撮像できるような小型軽量のシステムおよび方法が求められている。
【００１０】
また、Ｘ線または透視撮像の品質を向上させる必要性もあり、その品質は被写体の多くの物理的属性に関係している。これらの要素は、放射線源の放射特性を制御する一連の技術要因（例：電力、電流、時間）を規定している。これらの要因を組み合わせて設定することにより、解釈者が被験者に過剰な放射線を浴びせることなく、必要な視覚要素を視認することができるようにすることは、装置の操作者の責任である。
【００１１】
これらの技術要因の設定は複雑になり得る。従来の透視装置では、これらの技術を手動で設定する操作者の負担を軽減するために、自動化処理を実施していた。典型的なアプローチは、ソフトウェアまたはハードウェアの線量検知器をプレート上に使用して、放射線を加えながら徐々に充填していく。このアプローチにはいくつかの課題がある。
【００１２】
既存のアプローチの大きな問題点は動きである。放射線が長時間にわたって被曝者に浴びせられているため、被曝者、操作者、機械、被曝者内部の血管など、あらゆる動きがあると、画像を著しく劣化させるモーションアーチファクトが発生する。
【００１３】
また、従来のシステムでは、露光前に透過率の要件がわからないため、線源が所定の電力レベル（ｋＶ）で放射線を放出するため、画像を描画するのに十分な透過率が得られないことが多い。このように画像を表示することができないため、患者、操作者、スタッフは、臨床的な目的を持たずに過剰な放射線を浴びることになる。
【００１４】
被曝計算に必要な物理的要素の数を直接測定できる複雑なセンサアレイを有する新世代のシステムの能力を適用し、最適な放射線画像を得られるように医療従事者を支援する学習アルゴリズムを適用するためにこれらの改良されたシステムを使用する必要性が残っている。
【発明の概要】
【発明が解決しようとする課題】
【００１５】
改良されたシステムおよび被写体の全スペクトルにわたるセンサ、およびロバストな機械学習技術を利用することにより、患者が放射線エネルギーに曝露される前に必要な技術を演算することが可能であり、これにより、モーションアーチファクトを除去し、放射線画像の優れたキャプチャを生成することができ、すべての被曝線量を低減することができる。
【課題を解決するための手段】
【００１６】
本発明は、改善された汎用性の高いマルチモード放射線撮影システムおよび方法に関するものであり、これにより、外科医が干渉を受けることなく患者に手術を行うことができ、装置、被検者または外科医を再配置することなく、静的および動的なＸ線および他の静止画像およびビデオ画像を撮影することができる。
【００１７】
Ｘ線エミッタおよび検知器の両者が記載されている。新規なエミッタの一変形例は、エミッタの携帯可能な制御を可能にする。このようなエミッタは、軽量化が可能であり、非常に操縦性に優れている。変形例には、ハンドヘルドユニットである携帯型エミッタが含まれる。これに代えて、携帯型エミッタは、ユーザがエミッタを常に保持することを防止するために、自動化／制御可能であるか、または単にエミッタの重量を負担するような取付構造体に固定することができる。さらなる変形例では、エミッタは、必要に応じて改良された携帯性を可能にし、所望に応じて取付構造体に結合することができるように、取付構造体と解放可能に結合可能であるように構成することができる。エミッタは、診断、外科的介入、および非外科的介入を支援する目的で、患者の視覚画像、熱画像、および赤外線画像を生成するためのデジタルカメラのような少なくとも１つの追加の画像モダリティとともに、Ｘ線エミッタの両者を含むことができる。明らかに、本明細書に記載されたシステムおよび方法は、非侵襲的な撮像が望ましい非医療用途に使用することができる。
【００１８】
人間工学に基づいた制御により、画像の取得がより簡単かつ迅速になり、内蔵ディスプレイにより使いやすい制御機能が促進される。この装置は、被写体からの距離を検知し、Ｘ線管が安全な距離にない場合、すなわち患者に近過ぎる場合には、放射線の活性化および放出を遮断するであろう。最短距離はソフトウェアで定義することができ、用途やその他の要因に基づいて調整することができる。慣性計測ユニット（ＩＭＵ）と様々なタイミング要素の実装および使用により、システムは自動的かつインテリジェントにその電力状態を管理する。
【００１９】
Ｘ線エミッタは、利用可能な任意のＸ線検知器と組み合わせて使用することができる。１つの選択肢として、エミッタを適切に配置された検知器プレートを含む固定具に取り付ける方法があり、これは、従来のＣアームに類似するが、はるかに小型で、より多くの能力を有する。代替の変形例が本明細書に記載されており、詳細に開示されている明瞭なＸ線キャプチャステージを有するエミッタの使用を含み、このエミッタは、露光、品質、および安全性を最大化するために、自動的にエミッタと枢動させ、配向し、およびそれ自身を整列させる。
【００２０】
本発明のＸ線ステージは、Ｘ線センサ、Ｘ線センサ位置決めシステム、エミッタ追跡システム、遮蔽システム、および制御部を含む開放空洞を有する、手術の開始時に位置決めされた静的に固定されたプラットフォームから構成される。任意により、システムは、キャプチャされた画像をレビューするために、外部ディスプレイモニタまたは他の任意の方法を利用することができる。
【００２１】
記載された改良されたシステムの変形例は、医療検査および非医療検査のために対象物を検査するための非侵襲的な撮像システムを含み得る。このような非侵襲的撮像システムは、エネルギーを放出するように構成された放出装置と、放出装置および撮像センサが動作上整列した位置にある場合であって、エネルギーの受取時に撮像信号を生成するように構成された撮像センサと、対象物を位置決めするための外面を有するとともに外面に隣接して配置された少なくとも１つの位置決め機構を備えるプラットフォームと、外面に隣接して撮像センサの移動を可能にするように撮像センサに結合された少なくとも１つの位置決め機構と、プラットフォームに対して固定された少なくとも１つの位置追跡要素と、制御システムとを備える。放出装置は、プラットフォームの外面に対して移動可能であり、制御システムは、少なくとも１つの位置追跡要素と撮像センサとの間の第１の座標測定値を決定するように構成され、制御システムは、放出装置と少なくとも１つの位置追跡要素との間の第２の座標測定値を決定するように構成され、制御システムは、第１の座標測定値および第２の座標測定値を用いて、放出装置の移動中または移動後に、撮像センサを整列した位置に移動させる位置決め機構の作動を制御する。
【００２２】
本明細書に記載の改良の変形例はまた、対象物を非侵襲的に撮像するための改良された方法を含む。例えば、そのような方法は、放出装置を対象物に対して相対的な位置に移動させる工程と、少なくとも１つの位置追跡要素に対する放出装置の位置を決定する工程と、撮像センサを放出装置との作動可能なアライメントに調整するモータシステムに放出装置の位置を中継する工程と、撮像センサが放出装置との作動可能なアライメントにあるときに放出装置からエネルギーを放出する工程と、撮像センサから画像信号をディスプレイに送信する工程とを含むことができる。
【００２３】
方法の別の一態様では、放出装置を対象物に対して相対的な位置に移動させることにより、対象物を非侵襲的に撮像する工程と、エネルギーが画像データを生成するように構成された撮像センサによって受け取られるように、放出装置から対象物にエネルギーを放出する工程と、撮像センサに対して相対的な固定位置に配置された少なくとも１つの位置追跡要素に対する放出装置の位置および配向を決定する工程と、放出装置の位置および配向を使用して画像データを調整する工程と、画像データをディスプレイに送信する工程とを含み得る。
【００２４】
システムの変形例は、対象物の位置決めを可能にする平面を有するプラットフォームを含み得る。これに代えて、プラットフォームは、自由空間に位置する対象物の部分が、対象物の周囲の全体または実質的な周囲のいずれかにおいて見たり、検査したりすることができるように、自由空間の上に対象物を固定することを可能にする支持フレームを含むことができる。
【００２５】
本明細書に記載されたシステム、装置、および方法では、エミッタおよびセンサをアライメントまたは作動可能なアライメントに配置するが、アライメントの程度は、アライメントを規定する任意の業界仕様を含むことができる。例えば、医療用途のために、本明細書に記載されたシステムおよび方法のアライメントは、健康および人間のサービスのアメリカ食品医薬品局（ＦＯＯＤ  ＡＮＤ  ＤＲＵＧ  ＡＤＭＩＮＩＳＴＲＡＴＩＯＮ  ＤＥＰＡＲＴＭＥＮＴ  ＯＦ  ＨＥＡＬＴＨ  ＡＮＤ  ＨＵＭＡＮ  ＳＥＲＶＩＣＥＳ）に適用される連邦規則のＵ．Ｓ．Ｃ．Ｆ．Ｒ．（例えば、参照により本明細書に組み込まれる２１  Ｃ．Ｆ．Ｒ．  ｐａｒｔ  １０２０）に準拠するために必要とされるアライメントの程度を含むことができる。受像器（センサ）の平面内のＸ線フィールドの長さおよび幅のいずれも、線源から受像器までの距離（ＳＩＤ）の３パーセントを超えてはならず、過剰な長さおよび過剰な幅の合計は、ＳＩＤの４パーセントを超えてはならず、アライメントの誤差は、受像器の可視領域の中心を通過するＸ線フィールドの長さおよび幅の寸法に沿って決定されなければならない。他の適用、または代替の管轄区域では、本明細書で議論されるアライメントは、それぞれの要件を満たすために変化し得る。これに代えて、システム、装置、および方法の変形例は、エミッタと受容体との間のほぼ直交する位置関係を得るような測定を含むことができる。
【００２６】
アライメントと同様に、エミッタと受容体との間の最小または最大の距離は、業界標準によって確立することができる。一実施例では、上記のＦＤＡ規則を使用して、４５ｃｍ未満の最大線源−イメージ受容体間距離と、線源−肌間距離を１９ｃｍ未満に制限するための手段とが提供される。
【００２７】
使用時には、ステージはＸ線放出の位置および角度を正確に追跡し、正確かつ高品質なＸ線画像をキャプチャするために、埋め込みセンサを正確に位置決めし、チルトさせる。このステージは、使用する電力がより少なく済み、放出のスキューや遠近を補正し、被験者をその場に留めることができ、外科医のワークフローを中断することなく継続することができる。
【００２８】
「臨床」の実施形態では、Ｘ線キャプチャステージは静的に位置決めされており、エミッタは、放出がキャプチャステージのアクティブ領域によってポジティブに捕捉され得る場合にのみ確実に発射されるように位置決めを使用している。また、このポジティブキャプチャの獲得がなくなった場合には、直ちに発射が終了する。
【００２９】
対象物の放射線画像を撮影するための改善されたシステムの別の変形例は、放出装置の起動時に複数の出力パラメータの下でエネルギーを放出するように構成された放出装置と、
撮像センサへのエネルギーの曝露時に放射線撮像信号を生成するように構成された撮像センサと、
放出装置または撮像センサに結合された複数のセンサからなる位置追跡システムであって、放出装置と撮像センサとの間の配向を追跡するように構成された位置追跡システムと、
対象物の画像を撮影するように構成されたカメラと、
制御部と、を備え、制御部は、
撮像センサに対する放出装置の配向を追跡する際に位置追跡システムの少なくとも１つのセンサパラメータを決定し、撮像センサに対する放出装置の少なくとも１つのセンサパラメータが少なくとも１つ以上の動作安全パラメータを満たしていることを確認し、
対象物の画像を分析して、以前に得られた画像からなるコンピュータビジョン分類器データベースを使用して対象物に分類を割り当て、
少なくとも１つのセンサパラメータ、対象物の分類、およびセンサパラメータを含む以前に得られたデータの推定器データベースを用いて、少なくとも１つの推論された動作パラメータを推定し、
複数の出力パラメータのうちの少なくとも１つの出力パラメータを少なくとも１つの推論された動作パラメータに設定し、放出装置からのエネルギーの放出を開始し、
エネルギーの曝露から撮像センサによって生成された放射線撮像信号を用いて放射線画像を処理し、
放射線画像をディスプレイに送信するように構成される。
【００３０】
制御部は、放射線画像を調整するためのシステムとの少なくとも１つのユーザ相互作用を記録するようにさらに構成することができる。
【００３１】
一態様では、少なくとも１つのユーザ相互作用は、明るさ、シャープネス、コントラスト、位置、ズーム、回転、およびそれらの任意の組み合わせからなる群から選択される放射線画像に対する調整を含む。システムとのユーザ相互作用は、放射線画像の操作を含み得る。
【００３２】
システムの変形例は、放射線画像を調整するためにシステムとのユーザ相互作用の持続時間を記録するように構成された制御部を含む。
【００３３】
少なくとも１つ以上の動作安全パラメータは、線源から対象物までの距離、線源から検知器までの距離、入射角、線源からセンサまでのアライメント、および放出装置の温度からなる群から選択されるパラメータを含み得る。
【００３４】
制御部は、少なくとも１つ以上の動作安全パラメータを使用して、少なくとも１つの推論された動作パラメータを推定するようにさらに構成され得る。
【００３５】
別の態様では、制御部は、位置追跡システムを使用して、撮像装置と撮像センサとの間のアライメントをさらに決定する。
【００３６】
対象物が患者の身体部分を含み、制御部が、ＣＰＴコードを使用して少なくとも１つの推論された動作パラメータを決定するようにさらに構成されているシステムの変形例が使用可能である。
【００３７】
システムの別の態様では、制御部は、生体認証データを使用して、追加的に少なくとも１つの推論された動作パラメータを決定するようにさらに構成されている。
【００３８】
本明細書に記載のシステムは、１つ以上のデータ記憶装置をさらに含むことができる。このようなデータ記憶装置は、基準画像のデータベースを含むことができ、制御部は、基準画像のデータベースを使用して対象物の画像を解析するように構成されている。さらなる別の態様では、データ記憶装置は、放射線パラメータを複数の過去のセンサデータおよび複数の過去の分類データに関連付ける少なくとも１つの統計モデルを含み、制御部は、統計モデルを使用して少なくとも１つの推論された動作パラメータを追加的に決定するように構成されている。
【００３９】
本開示はまた、対象物の放射線撮像のための方法を含み、そのような方法は、放出装置、撮像センサ、少なくとも１つのセンサからなる位置追跡システム、およびカメラを備える放射線撮像システムを提供する工程を含む。放出装置は、放出装置の起動時に複数の出力パラメータの下でエネルギーを放出するように構成され、
撮像センサは、撮像センサへのエネルギーの曝露時に放射線撮像信号を生成するように構成され、
位置追跡システムおよび少なくとも１つのセンサは、放出装置と撮像センサとの間の配向を追跡するように構成され、
カメラは、対象物の画像を撮影するように構成される。
方法は、
撮像センサに対する放出装置の配向を追跡する際に、少なくとも１つのセンサパラメータを決定する工程と、
少なくとも１つのセンサパラメータが少なくとも１つ以上の動作安全パラメータを満たしていることを確認する工程と、
以前に取得された画像からなるコンピュータビジョン分類器データベースを使用して対象物の画像を分析することにより対象物に分類を割り当てる工程と、
少なくとも１つのセンサパラメータ、対象物の分類、およびセンサパラメータを含む以前に取得されたデータの推定器データベースを使用して少なくとも１つの推論された動作パラメータを推定する工程と、
複数の出力パラメータのうちの少なくとも１つの出力パラメータを少なくとも１つの推論された動作パラメータに設定する工程と、
放出装置からのエネルギーの放出を開始する工程と、
エネルギーの曝露から撮像センサにより生成された放射線撮像信号を使用して放射線画像を処理する工程と、
放射線画像をディスプレイに送信する工程と、
を含む。
【００４０】
別の態様では、本開示の方法は、複数の放射線撮像システムのうちのいずれかの自動露光設定を決定する方法を含み、各放射線撮像システムは、カメラ、放出装置、撮像センサ、１つ以上のセンサ、および放出装置と撮像センサとの間の配向を追跡するために１つ以上のセンサを使用するように構成された制御部を含む。方法は、
センサデータ、相互作用データ、手術データおよびそれらの任意の組み合わせからなる群から選択されたデータを含むグローバル測定データベースをコンパイルする工程であって、データは複数の放射線撮像システムのいずれかから経時的に収集され、センサデータは１つ以上のセンサからの直接測定値を含み、相互作用データは放射線画像を調整するために複数の放射線撮像システムのいずれかと相互作用を行う操作者の相互作用を含み、手術データは複数の放射線撮像システムのいずれかによって検査された任意の患者の手術の詳細を含む、グローバル測定データベースをコンパイルする工程と、
複数の放射線撮像システムのいずれかからの生の撮像データを含む撮像保存データベースをコンパイルする工程と、
グローバル測定データからのセンサデータ、相互作用データ、手術データと前回の推定器データとの間の統計的関係を分析する工程であって、前回の推定器データは、前回の捕捉されたセンサデータ、前回の捕捉された相互作用データ、および前回の捕捉された手術データを含み、統計的関係を分析すると、修正された推定器データが生成される、統計的関係を分析する工程と、
改訂されたコンピュータビジョン分類器データを生成するために、生のキャプチャデータ、手術データ、および現在のコンピュータビジョン分類器データを分析する工程と、
改訂された推定器データおよび改訂されたコンピュータビジョン分類器データをアクティブ放射線撮像システムに送信する工程と、
を含み、これにより、アクティブ放射線撮像システムは、
ｉ）前記改訂されたコンピュータビジョン分類器データを使用して、前記アクティブ放射線撮像システムのカメラから撮影された被検者の画像を解析して、前記画像に分類を割り当てることと、
ｉｉ）前記センサデータ、前記分類および前記改訂された推定器データを使用して、前記アクティブ放射線撮像システムの少なくとも１つの推論された動作パラメータを推定することと、を有効化される。
【００４１】
方法の一変形例では、撮像保存データベースをコンパイルする工程は、生の撮像データを生成する特定の放射線撮像システムに関する情報をさらに含む。
【００４２】
方法の別の変形例では、相互作用データは、明るさ、シャープネス、コントラスト、位置、ズーム、回転、およびそれらの任意の組み合わせからなる群から選択される放射線画像に対する調整を含む。相互作用データは、放射線画像を調整するために、複数の放射線撮像システムのいずれかとユーザとの相互作用の持続時間を含み得る。手術データは、１つ以上のＣＰＴコードからなる。
【００４３】
方法の別の変形例では、改訂された推定器データおよび改訂されたコンピュータビジョン分類データをアクティブ放射線撮像システムに送信する工程は、改訂された推定器データおよび改訂されたコンピュータビジョン分類データをアクティブ放射線撮像システムと通信している記憶装置上に格納する工程を含む。
【００４４】
本出願は、２０１６年９月１５日に出願された米国仮特許出願第６２／３９４，９０９号の優先権を主張する２０１７年９月１５日に出願された米国特許出願第１５／７０６，０１８号の利益を主張する２０１７年９月２６日に出願された米国特許出願第１５／７１６，０９９号；２０１６年９月１５日に出願された米国仮特許出願第６２／３９４，９５６号；２０１７年３月１４日に出願された米国仮特許出願第６２／４７１，１９１号；および２０１７年５月１１日に出願された米国仮特許出願第６２／５０４，８７６号に関するものであり、各出願の全内容が参照により本明細書に組み込まれている。本出願はまた、２０１７年９月１５日に出願されたＰＣＴ出願ＰＣＴ／ＵＳ２０１７／０５１７７４を参照により組み込む。
【図面の簡単な説明】
【００４５】
【図１Ａ】四肢症例の標準的な手術におけるＸ線撮像システムの使用のための手術室レイアウトの一例を示す図である。
【図１Ｂ】患者の領域へのアクセスを改善する特殊な手術台を備えた画像処理システムを使用するための手術室レイアウトの代替例を示す図である。
【図１Ｃ】患者の領域へのアクセスを改善する特殊な手術台を備えた画像処理システムを使用するための手術室レイアウトの代替例を示す図である。
【図２】本発明によるＸ線エミッタの簡略化された概略図である。
【図３】エミッタで使用するための一実施形態による制御パネルを示す図である。
【図４】Ｘ線エミッタの安全ロックアウトの手順を示す図である。
【図５】エミッタ電力管理のための代表的なシーケンス図を示す。
【図６】ユーザの要求に応じて、デバイスが並行して撮像するプロセスを例示する図である。
【図７】キャプチャステージの好ましい実施形態の全体的な構成要素を示す図である。
【図８Ａ】センサ位置決めシステムを示す斜視図である。
【図８Ｂ】赤外線（ＩＲ）位置決めタイルを例示する図である。
【図９】センサトレイを上から見たときのｘ，ｙの動きを示す図である。
【図１０Ａ】バンド操作によるキャプチャステージを示す斜視図である。
【図１０Ｂ】重要な構成要素の識別を伴うバンド操作ステージを示す概略図である。
【図１１Ａ】センサの傾き動作を示す側面図である。
【図１１Ｂ】センサのパンニング動作を示す側面図である。
【図１２Ａ】エミッタが画像ステージプラットフォーム上に設けられる必要がない配置を示す図である。
【図１２Ｂ】センサがテーブルの平面の上を移動して横方向のビューを撮像するように構成され得る撮像システムのさらなる配置を例示する図である。
【図１３】３次元空間内での相対位置計算を可能にする、５点から赤外線を放出する赤外線放出装置を示す図である。
【図１４】エミッタの配置に基づくキャプチャステージの安全ロックアウトを例示する図である。
【図１５】透視画像の撮像を例示するための図である。
【図１６】最も幅広なコーンを形成する開口部を備えるＸ線放出装置を示す図である。
【図１７】狭小なコーンを形成する開口部を有するＸ線放出装置を示す図である。
【図１８】開口部およびコーンを調整するために操作可能な制御部を示す図である。
【図１９】相対距離を例示するラベルを付した図である。
【図２０】放出装置が撮像センサのプロファイルを超えるエネルギープロファイルをキャストする状況を示している。
【図２１Ａ】放出プロファイルが、エミッタがセンサと操作的に整列しないようにセンサを越えて延びている状況を示す図である。
【図２１Ｂ】放出プロファイルが、撮像センサの境界内に残るようにスケーリングされ、センサと操作的に整列している状況を示す図である。
【図２２Ａ】撮像センサの境界内に留まるようにスケーリングおよび／または回転された調整された放出プロファイルを生成するための調整可能なコリメータの効果の一例を示す図である。
【図２２Ｂ】撮像センサの境界内に留まるようにスケーリングおよび／または回転された調整された放出プロファイルを生成するための調整可能なコリメータの効果の一例を示す図である。
【図２３】放出装置内で、または放出装置と組み合わせて使用することができる調整可能なコリメータの変形例を示す図である。
【図２４Ａ】調整可能なコリメータの一例を示す分解図である。
【図２４Ｂ】図２４Ａの調整可能なコリメータの構成要素の一部を例示する正面図である。
【図２４Ｃ】図２４Ａの調整可能なコリメータの構成要素の一部を例示する背面図である。
【図２５Ａ】調整可能なコリメータを有するエミッタの一例を示す図である。
【図２５Ｂ】調整可能なコリメータを有するエミッタの一例を示す図である。
【図２６Ａ】本明細書で論じられたコリメータのバリデーション方法の一例を示す図である。
【図２６Ｂ】本明細書で論じられたコリメータのバリデーション方法の一例を示す図である。
【図２６Ｃ】本明細書で論じられたコリメータのバリデーション方法の一例を示す図である。
【図２６Ｄ】本明細書で論じられたコリメータのバリデーション方法の一例を示す図である。
【図２６Ｅ】本明細書で論じられたコリメータのバリデーション方法の一例を示す図である。
【図２６Ｆ】本明細書で論じられたコリメータのバリデーション方法の一例を示す図である。
【図２６Ｇ】本明細書で論じられたコリメータのバリデーション方法の一例を示す図である。
【図２６Ｈ】本明細書で論じられたコリメータのバリデーション方法の一例を示す図である。
【図２６Ｉ】本明細書で論じられたコリメータのバリデーション方法の一例を示す図である。
【図２６Ｊ】本明細書で論じられたコリメータのバリデーション方法の一例を示す図である。
【図２７】従来の自動露光処理の一例を示す図である。
【図２８Ａ】放射線画像のための露光設定の決定のための機械学習を提供するために、１つ以上のデータベースに依存する改良されたシステムを例示する図である。
【図２８Ｂ】本明細書に記載されたシステムからのフィードバックを使用して自動露光プロセスおよびデータベースを改善するプロセスを例示する図である。
【発明を実施するための形態】
【００４６】
図１Ａは、四肢症例の標準的な手術における撮像システムの使用のための手術室レイアウトの一例を示す図である。本実施例では、外科医１０２は患者の左手を手術している。患者１０４は、仰臥位で左上肢をハンドテーブル１０５の上に外転された配置で、準備されるとともにドレープをかけられた状態で横たわっている。外科医は患者の側部に隣接して座し、外科助手１０６は患者の頭部に隣接してハンドテーブルを挟んで座す。手術器具および用具は、外科助手のすぐ後ろのバックテーブル１０８上に並べられている。
【００４７】
一態様では、撮像システムは、Ｘ線撮像を使用する。このように、本発明に従った滅菌されたＸ線エミッタ１１０は、使用のために外科用ハンドテーブル１０５上に置かれる。モニタ１１２は、Ｘ線、透視画像、熱画像およびデジタル画像をＸ線撮像システムから外科医が見るためのスクリーンに無線で転送することができるように、ハンドテーブルのすぐ隣のスタンドに配置される。エミッタ１１０により、外科医は片手でこれを保持するとともにその他方の手でドリルのような別の器具を操作することができる。本発明に従った検知器ステージは、保存および／または装置１１２のような外部モニタ上での閲覧のために放射線画像を収集するために、テーブル１０５上またはテーブル１０５内に配置されてもよい。本明細書で議論されるように、エミッタは、ハンドヘルドであってもよいし、自動化／制御可能であるか、または単にエミッタの重量を支持してユーザがエミッタを常に保持することを防止するような取付構造に固定してもよい。
【００４８】
図１Ｂは、専用の手術台３００で使用するための、センサ７０６およびエミッタ７１０を含むシステムのさらなる変形例を例示する。図示のように、手術台３００は、臓器の一部が自由空間に懸垂されているので、患者の臓器の周囲へのアクセスを増加させながら、患者を安定させる構造体３０２を含む。この変形例では、センサ７０６（後述する）を含むシェル７０７が第１のブームまたはアーム７１６に結合されている。アーム／ブーム７１６により、センサ７０６は移動可能である。代替的な変形例では、ブーム７１６は、センサ７０６が制御可能なブーム７１６に直接結合されるように自動化され得る。同様に、エミッタ７１０は、壁、天井、または携帯可能なフレーム構造体に固定可能な第２のアームまたはブーム７１４に結合されている。図１Ｃは、エミッタ７１０が操作者または医療従事者によって所望の位置に配置され得るように、患者１０４の身体部分に隣接するセンサ７０６およびブーム７１６の配置を例示している。システムの変形例では、ブームまたはアームにより、また、ヒートシンク、電源などの装置の構成要素を収容することができ、エミッタがより小型で操縦しやすくなる。加えて、いずれかのブームは、医師が手順を実行するのを支援するための機能を備えるように構成することができる。例えば、ブームは、医師がセンサ７０６およびエミッタ７１０のうちの少なくともいずれか一方を位置決めし、続いて、関連付けられるブームを所定の位置にロックすることができるように、ロックシステムを組み込むことができる。加えて、または組み合わせて、ブームは、処置を実行する際に、ブームが医師の邪魔にならないように、手術空間から離れて予め定められた位置に自動的に後退することができるような、記憶位置決めを組み込むことができる。加えて、記憶位置は、システムが手術空間から遠ざかるに先だって、構成要素をその最後の位置に自動的に再配置することができるように、エミッタまたはセンサの「最後の位置」を含むことができる。
【００４９】
図２は、本発明によるＸ線エミッタを示す簡略化された概略図である。装置の一般的な構成としては、手で扱いやすく、軽量であり、携帯性に優れていることが挙げられる。好ましくは、装置は、外科医の手に人間工学的に適合するように丸みを帯びた輪郭のあるハンドルを有し、透視、デジタル画像および熱画像を四肢および外科領域により良く指向させる。図２の図面は、特定の装飾的な外観を描写することを意図したものではないことに注意されたい。
【００５０】
エミッタ１１０の背面には、透視モード、デジタル画像モード、または赤外線熱画像モードの少なくとも３つの異なる動作モードを作動させることができるように制御パネルが設けられている。一旦起動されると、各モードはトリガ２０２によって装置の前面で制御される。トリガを１回押すと、装置が起動して１枚の画像（すなわち、１枚のＸ線またはデジタル画像）を撮影する。異なる動作モードで作動されてもよい。一例として、トリガ１２を押し下げると、ライブ透視、デジタルビデオ、または赤外線熱画像が作動してもよい。図２はまた、エミッタ１１０が電源２２１に結合されているように図示している。電源は、エミッタ１１０から離れて、またはエミッタ１１０内に配置されたバッテリ２２１であってもよい。これに代えて、または組み合わせて、エミッタ１１０と電源２２１との間に配線を介して電源２２１を結合することができる。さらなる変形例では、バッテリ２２１は、エミッタ１１０内に配置され、内部バッテリ２２１が電力を供給するために使用されている状態で、エミッタ１１０を外部電源から一時的に切り離すことができるように遠隔電源２２１に加えて使用されることができる。
【００５１】
図３は、エミッタと組み合わせて使用される一実施形態による制御パネルを例示する。制御パネルは、排出ハンドルの後部に設けられ、システムの様々な入力および出力を制御する。制御パネルはユーザが簡単にアクセスできるようになっており、エミッタの操作を容易にするように人間工学に基づいて設計されている。制御パネルは、大型で鮮明なスクリーン２０４（すなわち、ＬＣＤまたはＯＬＥＤ）と、ユニットの左側に配置された制御ボタン３０２と、ユニットの右側に配置された制御ボタン３０４と、中央に配置されたクリック可能なトグルボタン２０６とから構成されている。
【００５２】
表示画面２０４は、画像、並びに透視設定、デジタルカメラ設定、赤外線設定を制御するためのデジタル制御パネルが表示される。制御パネルは、タッチスクリーンを含んでもよい。トグルボタン２０６は、透視モードおよび赤外線モードでは電源入力を制御し、画像モードではデジタルズームを制御する。好ましいエミッタ構造体は、ダイナミックＸ線コリメートコーン２１０、デジタルカメラレンズ２１２、赤外線カメラ２１４、および距離センサ２１６を収容する。デジタルカメラおよび赤外線カメラは、好ましくは、電荷結合素子（ＣＣＤ）技術を使用する。距離センサは、赤外線、音響、または近接および距離測定の当業者に周知の他の操作技術であってもよい。センサ２１６は、患者からの距離を連続的に検知し、Ｘ線管が近すぎる場合、例えば、患者から直接１９ｃｍ未満の場合には、放射線の活性化および放出をブロックする。加えて、システムは、医師またはシステムのユーザが、センサが許容可能な距離内にあること、または発射準備ができていることを判断できるようにするために、任意の数の聴覚、視覚、または触覚のインジケータを含むことができる。さらなる変形例では、聴覚インジケータ、視覚インジケータ、および／または触覚インジケータは、ユーザが検査対象物から焦点を外すことなく、システムの作動状態を識別できるように配置される。一実施例では、可視インジケータ（例えば、１つ以上のＬＥＤ）がエミッタ上に配置されており、これは、システムの距離、位置合わせ、または他の作動状態に関する明確に区別可能なフィードバックを提供する。
【００５３】
ハンドル２００は、高電圧電源２１８、外部充電ポート２２０、およびバッテリドッキングステーション２２２を収容可能な装置の底部に向かって先端ほど細くテーパ状になっている。Ｘ線モードまたは透視モードでトリガ２０２が作動すると、電源２１８からの高電圧が、高電圧コネクタアセンブリ２２８を介してＸ線生成ユニット２３０に供給される。電源２１８によって生成された電力は、Ｘ線生成ユニット２３０によって使用可能な適切な入力電圧に変換される。この電力は、１ｋＶ乃至１２０ｋＶまでの範囲にあるが、一般的には、臨床応用に関連して３０ｋＶ乃至９０ｋＶまでの範囲にある。
【００５４】
Ｘ線生成ユニット２３０は、瞬時の応用に必要な小型化のためにカスタム設計されているが、既存の高電圧エミッタをベースとしている。適切な厚みの電気絶縁材料が高圧電源２１８、コネクタアセンブリ２２８、およびＸ線生成ユニット２３０を包囲し、放射損失を防止し、良好なビーム品質を維持する。３つの構成要素２１８、２２８、２３０はすべて、システム内の高電圧リークおよび低電圧構成要素との可能性のある干渉を最小限にするために、互いに対してすぐに隣接して配置されている。代替的な実施形態では、構成要素２１８、２２８、２３０は、外部制御部（図示しない）に配置されてもよい。
【００５５】
シリコーンゴムおよびエポキシの好適な層状の組み合わせは、放射線損失を遮蔽し、Ｘ線管の動作によって発生する高温を散逸させるために、Ｘ線生成ユニット２３０を（Ｘ線がコリメータに放出される場合を除いて）カプセル化する。放射線は、Ｘ線管によって生成され、装置の頭部のコリメートコーン２１０を介して送信される。ピークキロボルト（ｋＶ）、アンペア（ｍＡ）、デジタル輝度などの透視設定は、首部の背面にあるデジタル制御パネルで制御される。
【００５６】
デジタルカメラレンズ２１２および赤外線サーマルカメラ２１４は、コリメートコーン２１０にすぐに隣接しており、これらの構成要素も絶縁体で遮蔽されている。デジタルカメラ２１４は、制御パネルを用いてデジタルモードにすることで制御される。画像は、装置ハンドルに配置されたトリガ２０２を介して生成される。
【００５７】
同様に、赤外線サーマルカメラ２１４は、制御パネルを用いて装置を赤外線モードにすることで制御される。トリガを押し続けることにより、ライブで赤外線サーモグラフィが生成される。デジタルＸ線、従来のデジタル可視画像および熱画像は、図１に示す外部スクリーン１１２に転送されて表示されてもよい。以下に説明するエミッタと検知器との間の協力のレベルに応じて、Ｘ線画像は、閲覧のために外部モニタに直接転送されてもよい。メモリ２３３は、収集された任意のタイプの画像を格納するために使用されてもよく、そのような画像は、係属中の米国特許出願第１５／４６６，２１６号明細書に従って、捕捉時に暗号化されてもよく、同文献はその内容の全体が参照により本明細書に組み込まれる。オーディオピックアップ２３５は、手順のメモリアル化または他の目的のために提供されてもよく、記録はまた、メモリ２３３に格納されてもよく、任意に暗号化された形態でもよい。
【００５８】
本装置は、外部充電ポート２２０を備えた外部プラグ電源から給電される。デジタル表示、制御インターフェース、およびトリガは、低電圧電力増幅器システム２３４によって給電された制御システムマイクロプロセッサ電子制御部２３２を介して制御される。低電圧増幅システム２３４およびマイクロプロセッサ制御システム２３２もまた、干渉をさらに最小限にするために、高電圧電源から離れた箇所に好都合に配置されている。
【００５９】
以下の表は、図３の制御パネルの複数のボタンおよびトグルスイッチを使用してエミッタに関連付けられた様々な制御モードを一覧表にしたものである。
【００６０】
【表１】
2021532960.tif 000003
実務上も認定上も様々な理由から、被写体とＸ線発生装置との間の距離を最小限に保持することが重要である。この距離は、多くの要因によって変化し、また、エミッタのソフトウェアで設定することができる。図４は、装置がＸ線エミッタの安全ロックアウト手順を管理する処理を示す。安全ロックアウトの判定プロセスは以下の通りである。
【００６１】
ステップ４０２  ユーザは、Ｘ線モード中にトリガを押圧することで、Ｘ線放出プロセスを開始する。これは、透視画像であっても静止画であってもいずれでもよい。
【００６２】
ステップ４０４  エミッタの距離設定データベースから距離設定を取得する。
【００６３】
ステップ４０５  距離測定部が作動して、エミッタの端部とエミッタの真正面にある被写体との間の距離を撮像する。
【００６４】
ステップ４０６  距離設定および距離測定はエミッタのＥＣＵ演算ユニットに中継される。
【００６５】
ステップ４０８  ステップ４０８において、ＥＣＵ演算ユニットは、距離測定、距離設定、および内部ジェネレータオフセットを使用して、エミッタが発射すべきかどうかを決定する。
【００６６】
ステップ４１０  発射・警報の判定はステップ４１０でＥＣＵにより判定され、ハードウェアユニットに中継される。
【００６７】
ステップ４１２  ステップ４１２で、被写体がエミッタに近過ぎるとＥＣＵが判断すると、ユニットは警告手順を起動し、ＬＣＤパネル上にメッセージを表示し、ロックアウト警告灯を作動させる。
【００６８】
ステップ４１４  ステップ４１４で、被写体が安全な距離にあるとＥＣＵが判断した場合、エミッタは、すべての内部構成要素および外部構成要素に信号を送って、Ｘ線の生成および放出プロセスを開始する。
【００６９】
装置は３次元空間内を自由に移動できるため、Ｘ線エミッタからの投影コーンの大きさは、対象までの距離に応じて変化する。このように、本発明によれば、ステージ上に配置されたセンサからのＸ線放出装置の距離に基づいて、コーンサイズを管理制御することができる。
【００７０】
図１６は、アノード１６０２およびカソード１６０４を含む、適用可能なＸ線源の簡略化された説明図である。アノードは、典型的には、タングステンまたはモリブデンの対象１６０６を含む。アノードおよびカソードを横断する高電圧は、対象でＸ線を発生させ、これは、筐体１６１２内の開口１６１０を通って出射するコーン１６０８を形成する。
【００７１】
本発明の一態様は、開口およびセンサの方向に配置された伸縮チャンバを含む。Ｘ線源から出力開口までの距離は、ネジ式の内部マウントに沿って外部チャンバを回転させることにより、増減させることができる。図１７に示すように、開口をソースに近付けると広角になり、ソースから遠ざけると角が小さくなる。
【００７２】
図１８を参照して、ハンドヘルドエミッタ内の制御部１８０２は、伸縮開口を制御する。以下のプロセスに基づいて、制御部１８０２は、ネジ山シャフト１８０４を回転させ、その結果、ネジ山は、伸縮チャンバ１６１４内の溝１８０６と係合し、開口１６１０がＸ線源に向けられ、また、遠ざけられる。
【００７３】
図１９を参照して、制御方法は以下の通りである。まず、装置のＸ線原点とＸ線センサとの間の距離を計算する。距離がＸ線放出の許容範囲外であれば、Ｘ線は放出されない。ただし、Ｘ線原点とセンサ（ｄｓ）との距離が許容範囲内であれば、開口は自動的に所定の位置に移動する。そして、Ｘ線原点から開口（ｄａ）までの距離が算出され、制御部は開口チャンバを適正な距離に回転させる。
【００７４】
Ｒｓがセンサに接触するときのＸ線放出の半径を表すとすると、センサプレートの正規化ベクトルと分散コーンとの間の角度は、θ＝ｔａｎ−１（Ｒｓ／ｄｓ）として表すことができる。Ｘ線を正確に分散させて放出するためには、開口が放出源から位置する必要がある距離は、ｄａ＝Ｒａ／ｔａｎ（θ）として計算することができ、Ｒａは開口の半径を示す。制御部は、続いてＸ線放出装置に、角度θのコーンをセンサに投影するＸ線を放出させる。
【００７５】
図１６乃至１９を参照して説明した伸縮コーン調整機構が好ましいが、当該技術分野の当業者であれば、これに代えてより従来の調整可能な開口（すなわち、並進可能なＸ線吸収ブレードまたは遮断ブレードによる）が使用されてもよいことを理解するであろう。上記で使用したのと同じ計算が、本実施形態にも適用可能であり、すなわち、距離がＸ線放出の許容範囲外であれば、Ｘ線は放出されない。逆に、Ｘ線原点とセンサ（ｄｓ）との間の距離が許容範囲内であれば、光源の発射を促進するために、開口は自動的に開閉されるであろう。
【００７６】
市場によって安全性の要件は異なる。加えて、被験者（高齢者、小児、その他の健康なヒト）に応じて、放出に関連付けられた安全上の問題が確実にないようにするためにロックアウトを調整することができる。この装置はまた、好ましくは、慣性測定ユニット（ＩＭＵ）、距離センサユニット、および操作者が開始したコマンド入力を利用して電力をインテリジェントに節約する機能を含む。ユニットの電力ステージの様々な持続時間はユーザが設定可能であるため、ユーザの特定のスタイルおよび調子（ｃａｄｅｎｃｅ）に合わせて装置を調整することができる。
【００７７】
本明細書に記載されたシステムおよび方法はまた、誤差補正および／または位置決めを改善するために複数のセンサを使用することができる。例えば、エミッタおよび検知器／センサが所定の位置にあり、システムがプラットフォーム上の１つ以上のセンサのトラッキングを失った場合、通常、トラッキングの喪失は出力画像のＦＰＳを低下させる可能性がある。この状況に対処するために、エミッタは、特に必要な場合に介在フレームを調整するためにエミッタの動きを追跡することができる１つ以上の慣性測定ユニットを含むことができる。そして、ＩＭＵを使用して、出力のＦＰＳを上げるために、介在フレームを調整する。いくつかの変形例では、十分な精度のＩＭＵにより、プラットフォーム上の複数のセンサに代えて、またはこれらに加えてＩＭＵを使用することができる。
【００７８】
図５に電源管理のための代表的なシーケンスを示す。
【００７９】
ポイント５０２  ユーザは、エミッタ上の物理ボタン（すなわち、図２の２０８）を押すことにより、装置上の電源シーケンスを開始する。これにより、装置の電子機器が作動し、装置がオンモードになる。
【００８０】
ポイント５０４  装置のピックアップがエミッタ内のＩＭＵで検知され、迅速に電力レベルをＳＴＡＮＤＢＹに引き上げる。このＳＴＡＮＤＢＹ状態は、すべての電源システムを初期化し、電源の電荷を中レベルに引き上げる。
【００８１】
ポイント５０５  ユーザが装置をダウンさせるか、エミッタを動かすか、または制御パネルや制御コンピュータでの開始により、その他の操作をしない場合、装置は自動的にパワーダウンして、ｔ０の時間後にオフ段階になる。
【００８２】
ポイント５０６  ユーザは、制御パネル自体の設定を変更したり、搭載されている距離センサで検知された被写体の範囲内に装置を至らしめることにより、装置を手に取り、装置を作動させたことになる。これにより、電源システムをフル充電して装置を放射可能な状態にすることで、装置の電力レベルをさらに上昇させ、装置をＲＥＡＤＹモードにすることができる。
【００８３】
ポイント５０７  ユニットを積極的に作動させることなくｔ１の持続時間が経過した後に、エミッタはそれ自体をＳＴＡＮＤＢＹレベルまでパワーダウンさせる。
【００８４】
ポイント５１０  ユーザは、エミッタ上のトリガ２０２を押し下げることにより、Ｘ線撮影を開始する。他のすべての安全チェックがクリアされていると仮定すると、これはさらに電源を作動させ、５１１の状態になるまで被写体に向かってＸ線光子の流れを放出し、その時点で放出が完了する。しかしながら、ユーザは、装置がＲＥＡＤＹモードに戻ると、ポイント５１０’、５１１’でＸ線光子を無期限に放出し続けることができる。
【００８５】
ポイント５１１  エミッタが発射されていない間の持続時間ｔ２の後に、装置は自動的にポイント５２０でＳＴＡＮＤＢＹレベルまでそれ自体パワーダウンする。
【００８６】
ポイント５０８、５２２、５２４で示されるように、装置は、電源状態を維持または変更するために正の作動なしに様々な持続時間が経過すると、装置をオン段階から最終的にオフ段階に移行させるために、上記のタイミングに従う。これらのステップを利用することで、装置は、ユーザからの操作なしでＲＥＡＤＹ状態を維持しながら、電力を節減することができる。
【００８７】
図６は、ユーザの要求に応じて、装置が並行して画像を撮影する処理を説明するための図である。エミッタの制御画面上の設定を使用して、または制御部内の同時撮像を指定することにより、エミッタは、Ｘ線、従来のデジタル画像および／または熱画像の任意の組み合わせを撮像するためのプロセスを開始する。撮像する処理は以下の通りである。
【００８８】
ステップ６０２  ユーザは、エミッタのトリガを引くことにより、装置上のキャプチャシーケンスを開始する。これは、センサのグループ化が有効になっている場合には、キャプチャプロセスと並行イメージングプロセスを開始する。
【００８９】
ステップ６０４  エミッタは直ちにＸ線ＳＴＡＮＤＢＹモードに入り、Ｘ線発生器を発射する準備をする。
【００９０】
ステップ６０４’  同時に、有効にすると、従来のカメラコンポーネントは目的の被写体に焦点を合わせる。これは、好ましくは、トリガが押されるとすぐに発生する。
【００９１】
ステップ６０４”  同時に、有効にすると、サーマルカメラの電源が入り、起動シーケンスが開始される。これはまた、好ましくは、トリガが押されるとすぐに発生する。
【００９２】
ステップ６０６  図４に示すように、Ｘ線システムはその安全チェックを開始する。
【００９３】
ステップ６０８  デジタル撮像カメラは、従来の被写体の画像を撮影する。好ましくは、画像は、外部モニタ上に表示するための制御部に自動的に転送される。
【００９４】
ステップ６１０  サーマルカメラは、被写体の熱画像を撮影する。好ましくは、画像は、外部モニタ上に表示するための制御部に自動的に転送される。
【００９５】
ステップ６２０  好ましい実施形態では、ステップ６０８および６１０の両者が完了し、ステップ６０６からのすべての安全チェックが確認された後、Ｘ線ユニットは放出を発射し、センサ内にＸ線画像を生成する。好ましくは、画像は、外部モニタ上に表示するための制御部に自動的に転送される。このように、Ｘ線システムは、操作上の干渉を最小限に抑えるために、他のすべてのシステムが実行された後にのみ、充電、安全性の確認、およびＸ線の排出を行る。
【００９６】
Ｘ線検知器の実装
本明細書に記載されたエミッタは、Ｘ線検知器と組み合わせて使用して、Ｘ線画像を収集する必要がある。エミッタは、検知器の技術に制限されず、膜であっても、利用可能ないかなるフラットパネル検知器とも組み合わせて使用できる。しかしながら、エミッタの完全な携帯性を考慮すると、エミッタが検知器に対して確実に適切に配向され、疑似のまたは望ましくないＸ線の放出を避けながら、明確な画像を収集するための手順を取る必要がある。１つの選択肢として、エミッタを適切に配置された検知器プレートを含む固定具に取り付ける方法があり、これは、伝統的なＣアームに類似するが、はるかに小型で、より多くの能力を有する。しかしながら、好ましい選択肢は、エミッタを、以下に説明するＸ線キャプチャステージと組み合わせて使用することにあり、そのうちの１つは、露光品質および安全性を最大化するために、エミッタと自動的に枢動、角度調整および位置合わせを行う埋め込みセンサを含む。
【００９７】
好ましいＸ線キャプチャステージは、Ｘ線センサ、Ｘ線センサ位置決めシステム、エミッタ追跡システム、遮蔽システム、および制御部を含む内部空洞を有する、手術の開始時に位置決めされる静的に固定されたプラットフォームを含む。Ｘ線キャプチャステージは、本明細書に記載された携帯型のハンドヘルドユニットを含む個別のエミッタ装置からのＸ線放出を受容するように構成されている。好ましくは、Ｘ線キャプチャステージはまた、捕捉されたＸ線または透視画像のレビューを外部ディスプレイモニタ上または外部ストレージを含む捕捉された画像のための他の任意の構造体上でレビューすることを可能にする無線（または有線）通信機能を組み込んでいる。
【００９８】
大まかに２つのキャプチャステージの実施形態がある。臨床的な実施形態では、ステージは放出を追跡し、それが一直線上にない場合は、単にＸ線発射をロックアウトする。トラッキングステージの実施形態はまた、アライメントに従って放出を許可またはロックアウトするのみならず、正確かつ高品質のＸ線画像を捕捉するために、埋め込みセンサを位置決めし、傾斜させて、Ｘ線放出の位置および角度を正確に追跡する。この構成により、使用する電力がより少なく済み、放出のスキューまたは遠近法が補正され、被写体を所定の位置に留めることができるため、外科医のワークフローを中断することなく継続し、機器、被写体、または外科医の位置を再配置することなくＸ線を捕捉することができる。
【００９９】
図７は、埋め込みセンサ７０６を含む中空洞を有するプラットフォーム７０２を含む、Ｘ線キャプチャステージの好ましい実施形態のを示す簡略図である。一実施形態では、ステージは脚部７０３を有し、テーブルとして使用されてもよい。別の構成では、ステージは袋に包囲され、患者の下に配置されてもよい。このように、プラットフォーム７０２は、無菌ドレープに包囲され、外科的処置は、図１のテーブル１０５のようなプラットフォーム上で実行され得る。
【０１００】
キャプチャステージは、個別のＸ線放出装置７１０と協働する。Ｘ線放出装置には、上記で詳細に説明したハンドヘルドユニット以外にも、壁掛け式、補強材式、床置き式など、様々な構成および実施形態がある。エミッタの電子システムが、枢動、配向または整列のために提供するために、操作可能なＸ線ステージ中央制御部のインターフェースと通信できる限り、どのような実施形態でも、操作可能なＸ線ステージと互換性がある。
【０１０１】
プラットフォーム７０２は、中央制御部７０４と電気的に通信している。制御部７０４に電子的に接続されたディスプレイモニタ７１２は、画像の表示およびシステム全体の制御の提供の両者のために使用されてもよい。一般に、ユーザはエミッタ７１０と相互に作用するが、場合によっては、画像を操作したり、特定の捕捉シナリオを設定したり、パラメータを制御したり、他の設定を調整したりするために、ユーザは中央制御部７０４と直接相互に作用してもよい。システムは、また、タブレット、携帯電話、または中央制御装置に電子的に接続された他の表示装置を表示目的で使用してもよい。中央制御装置７０４およびディスプレイは、ラップトップコンピュータまたは他のモバイルコンピューティング装置のような単一の装置に結合されてもよい。任意に、中央制御装置は、教育または他の目的のために、複数の表示装置に電子的に接続することができる。
【０１０２】
図８Ａは、本発明によるＸ線キャプチャステージを示す斜視図である。ステージがなす１つの特定の構成は、本発明の全体的なサイズは、他の外科的用途に適合するように変更することができるが、約２０インチ×３０インチ（約５０．８ｃｍ×約７６．２ｃｍ）である中空の、シールされた、シェルである。シェルは、Ｘ線エミッタからのＸ線放出を捕捉するために作動するＸ線検知センサ７０６を収容するキャビティ８００を形成する。適切なＸ線センサは、様々な市販メーカから入手可能である。センサ７０６は、キャビティ内でセンサをパンおよび傾斜させるために使用される電動移動システムに取り付けられている。この電動システムにより、最高の画質およびキャプチャービューが得られるように確実にセンサを正確に配置することができる。
【０１０３】
Ｘ線センサ７０６は、好ましくは、キャビティ８００内で制御された動きの下で移動する可動トレイ８０２に取り付けられる。トレイおよびセンサは、後述するように、Ｘ−Ｙ方向に移動することができ、両軸に沿って傾斜することができる。図９は、キャプチャステージを上から見た図である。トレイ８０２内のセンサ７０６は、一連の電動レール７２０、７２２上に並進するように取り付けられており、これにより、センサはシェル内のＸ軸およびＹ軸に沿って任意の箇所に位置することができる。ＸおよびＹトラックの少なくとも１つは、例えば、ネジロッドであってもよく、それぞれ、Ｘ寸法およびＹ寸法でトレイ８０２を正確に横方向に移動させるためのモータによって駆動される。さらなる代替として、図１０Ａのバンド１００２、１００４を用いて、トレイのＸ−Ｙ移動を制御してもよい。このようなバンドは、ロッド１００６、１００８によって正確に制御され、トレイ支持体１１１０、１１１２がトレイ８０８を翻訳することを引き起こす。図９に４つのトレイ支持体９０２、９０４が描かれているが、図１０Ａに示すように、単一の支持体１１１０、１１１２がこれに代えて使用されてもよいことに留意されたい。
【０１０４】
図１０Ｂは、重要な構成要素の識別を伴うバンド操作ステージを示す概略図である。Ｘ線検知器１０３０が示され、検知器担体１０３２が描かれている。この特定の実施形態では、Ｈ型ベルト１０４０によって駆動される。小オフセット軸受１０４２および大オフセット軸受１０４４が設けられる。ベルトはモータ１０５０，１０５２によって駆動される。ステージハウジング１０６０が示されており、ケーブル１０６２を介して電源がもたらされる。検知器傾斜モータ１０７０，１０７２が示されている。図８Ｂを参照して説明したＩＲ位置決めタイル８５０およびＩＲエミッタ８５２が示されている。本明細書に記載される典型的なＩＲエミッタは、エミッタの位置の決定を支援するためにエミッタによって受信された信号またはエネルギーを能動的に放出するので、アクティブビーコンである。これに代えて、または組み合わせて、本明細書に記載された方法、システム、および装置のさらなる変形例は、エミッタの配向を決定することを支援するための受動的なマーキングまたは物体を含むことができる。システム、装置、および方法は、特定のパターン（例えば、ＱＲシンボルまたは時計、テーブル、固定具などの外科領域内の所定のユニークな物体）を単に記録するカメラまたはエミッタを含むことができる。システムは、これらのパターンを、ＩＲビーコンに代えて、またはＩＲビーコンと組み合わせて使用し、エミッタの位置を決定するためにコンピュータに依存する。後者の場合、エミッタの位置はコンピュータ等の処理装置によって算出される。
【０１０５】
すべてのステージの実施形態では、プラットフォームまたはシェルの上部カバー１０１８（図１０Ａ）は、放射性材料で覆われている。しかしながら、プラットフォームの下部基部１０２０（図１０Ａ）は、好ましくは、鉛のようなＸ線吸収材料で被覆されている。この被覆は、余分なＸ線がフィールドを透過し、エミッタの操作者に吸収されることを防止する。また、このＸ線吸収アンダー被覆は、余分なＸ線放出が床から跳ね返って施設全体に散乱することを防止する。プラットフォームの側面も同様に放射線不透過性を備える材料で構成されてもよい。
【０１０６】
図１１Ａ，図１１Ｂは、パン・チルト機構を示す図である。図１１Ａでは、センサトレイ８０２はキャビティ内に配置され、センサ７０６はＹ軸を中心として傾斜している。図１１Ｂでは、センサトレイ８０２は、Ｘ軸およびＹ軸の両方に沿って傾斜している。このパンニングおよびチルトにより、放出装置のオフセット角度によって生じる歪みを最小限に抑えながら、センサを正確に配置してＸ線画像を撮影することができる。すなわち、キャプチャステージおよびＸ線エミッタは、スキューを最小限にし、Ｘ線および透視画像の両者のキャプチャを最大化するように調整されている。ステージ内でセンサを移動させることにより、ユーザは被写体の位置を変えることなく、鮮明で使用可能なＸ線画像や透視画像を得ることができる。
【０１０７】
放出装置がステージから物理的に切り離されているハンドヘルド型エミッタの場合、品質および安全性の理由から、センサをエミッタに対して相対的に配置することが重要である。この目標を達成するために、さまざまなテクニックを使用することができる。図８および図１０に示すように、複数の位置追跡具８３０は、トレイの端部または角部に取り付けられてもよい。これらの道具は四隅で使用することができるが、正確な三角測量に必要なのは１つのみである。これらの実施形態は、超音波音の発生に基づくものであってもよいし、赤外線の発光に基づくものであってもよい。これらの実施形態では、プラットフォーム内で発生した音響信号または赤外線信号は、エミッタ装置によって検知され、これによってセンサは、捕捉を最大化するために並進および傾斜する。さらなる実施形態では、トレイおよびＸ線センサを配向するために、外科用ナビゲーションで使用されるタイプの磁気位置および方位センサと検知器とを利用してもよい。
【０１０８】
エミッタ８３０は、ハンドヘルドユニット７１０上の点８１０からステージに取り付けられた３つ（またはそれ以上）の固定点８３０までの距離を測定するために使用される。これらの距離は、図８ＡではＤ１、Ｄ２、Ｄ３として描かれている。これらの距離に基づいて、システムは、センサ７０６上の中心点８０１と、ソースからプラットフォームへの放出の角度（θ５）を正確に特定するために、追跡方法を採用する。このトラッキングシステムの例示的な実施形態は、プラットフォームおよびハンドヘルドユニット内の赤外線センサの組み合わせ、および角度θ５を検知するためのステージおよびハンドヘルドユニット内のジャイロスコープを含むであろう。
【０１０９】
検知器の位置決めには、複数のセンサを併用する。ユーザがハンドヘルドユニットを手に取ると、システムは準備完了状態になる。テーブルの角部にある赤外線ビーコンが照明する。ハンドヘルドユニットに搭載された位置追跡カメラは、１４０度の視野内で撮影された赤外線スペクトルの解析を直ちに開始する。カメラは赤外線のパターンを探している。各角部８３０は、ハンドヘルドユニットの赤外線カメラがステージのどの角部を見ているかを判定する特定のパターンを有している。
【０１１０】
図８Ｂを参照して、ＩＲ位置決めエミッタタイル８５０は、手術台または臨床台の各角部に着座する。図は、４つのユニークなタイルの例である。マウントされた位置決めビーコンを使用する場合、パターンが異なる。これらのタイルは、特定のパターンに配置された多数の赤外線エミッタ８５２、通常は５個の個別エミッタを含む。各タイルには、５つのＩＲエミッタの異なるパターンが含まれている。オペレータがＸ線エミッタをステージの周囲に移動させると、ＩＲ位置決めカメラがタイルからの赤外線放射をキャプチャして分析する。各タイルには固有のパターンがあるため、カメラはテーブルとの関係でその正確な位置を判定することができる。加えて、各タイルには複数のライトがユニークなパターンで配置されているため、ＸＹＺ空間内のタイルから正確な位置を特定することができる。
【０１１１】
任意により、またはこのユニークなＩＲレイアウトに加えて、ＩＲエミッタは、シンコペーション方式で点滅することができる。点滅の周波数を変調することで、各タイルに独自性のあるシグネチャを追加することができ、タイル数の多いシナリオでパターンを繰り返すことができる。このユニークな配置のため、システムが完全に機能できるようにするためには、ユニットの単一の角部、すなわち単一の位置決めビーコンのみがエミッタに見えるようにする必要がある。すなわち、パターンの配置により、カメラは各角部に対して空間内の位置を三角測量することができる。三角測量データとエミッタ上のＩＭＵユニットからの配向データとを利用して、システムは、エミッタの中心点を判定することができる。ステージは、ステージのその領域に中心点を移動させ、検知器を可能な限り放出に対して直交するように傾斜させる。センサが所定の位置に移動している間、エミッタ上のコリメータがビームの出力を調整し、検知器パネルのみを確実に照明するようにする。
【０１１２】
センサ８３０の組み合わせからの位置情報は、制御部７０４（図７）を介してルーティングされ、生のセンサデータをプラットフォーム上の目的点に補間する。続いて、プラットフォームは、センサトレイ８０２を所定の位置に移動させる。プラットフォームはその後センサを正しい配向（θ５）に傾斜させ、できるだけ多くのスキューを取り除く。別の言い方をすれば、エミッタ７１０内のＸ線源が軸線８０３を中心として放射線を放出すると仮定すると、軸線８０３は、スキューを最小化するためにセンサの平面が軸線２０１に対して可能な限り直交するように、センサの中心点８０１に可能な限り近い位置に配置されることが目標である。
【０１１３】
トレイおよびセンサのＸ、Ｙ、パン、チルトの位置決めは、システムのプラットフォーム部分の位置エミッタを使用しないで達成されてもよい。図１２Ａおよび図１３は、テーブルに埋め込まれた位置エミッタを有することの依存性が取り除かれる位置計算の代替的システムおよび方法を示す。これに代えて、外部位置エミッタに基づいて、キャプチャステージおよびＸ線検知センサに対するＸ線エミッタの位置を算出してもよい。上述したように、エミッタは、当業者が自由空間内でエミッタを移動させることができるように、純粋に手で持つことができる。これに代えて、エミッタは、医師がエミッタを継続的に保持することを必要とせずに、エミッタを対象物に対して所定の位置に保持する支持構造体とともに（またはこれと結合可能に）移動可能であってもよい。
【０１１４】
本実施形態に従ったＸ線放出装置の位置を決定する工程は、以下の通りである。
【０１１５】
外部位置放出装置（複数可）は、固定位置に設置されるとともに一連の赤外線エミッタを含む。この放出装置は、立方体オブジェクト１２０２の５面から赤外線パターンを放出し、その結果、赤外線エネルギーがわずかに異なる源から放出される。
【０１１６】
ステージは、赤外線パターンを検知し、ステージから３次元空間内の各赤外線エミッタの中心までの相対位置を算出する。この位置は、ｓがステージ、ｅが赤外線発光素子、ｉが赤外線発光素子のインデックス（複数の赤外線発光素子を利用している場合）で、［ｘｓｉ，ｙｓｉ，ｚｓｉ］＝［−ｘｅｉ，−ｙｅｉ，−ｚｅｉ］と考えられる。
【０１１７】
Ｘ線放出装置は、赤外線信号パターンを継続的に検知し、空間内の各赤外線エミッタの中心に対する放出装置の相対位置を決定する。この相対位置は、各エミッタ用の放出位置制御部に中継される。この位置は、ｈがＸ線発光素子、ｅが赤外線発光素子、ｉが赤外線発光素子のインデックスで、［ｘｈｉ，ｙｈｉ，ｚｈｉ］＝［−ｘｅｉ，−ｙｅｉ，−ｚｅｉ］と考えてもよい。
【０１１８】
放出位置制御部は、Ｘ線放出装置の相対位置（［ｘｈｉ，ｙｈｉ，ｚｈｉ］）を受信するであろう。これらの相対位置を用いて、放出位置制御部は、ステージ（図１３）に対するＸ線放出装置の相対位置を算出し、［ｘｈｉ−ｘｓｉ，ｙｈｉ−ｙｓｉ，ｚｈｉ−ｚｓｉ］となる。この操作は、赤外線発光素子（ｉ）ごとに行われ、これを用いて誤差の範囲を推論することができる。
【０１１９】
ステージは、原出願時に示したように他のデータとともに位置を適用した後に、Ｘ線センサプレートを正しい位置に移動および回転させてＸ線画像を撮影する。
【０１２０】
図１２Ｂは、エミッタ７１０が、本明細書で議論されるように移動するように構成されているが横方向の撮像を可能にするためにも移動することができるセンサ／検知器７０６にエネルギーを印加することができる変形例を示す。図示された変形例では、センサ／検知器７０６は、患者１０４の横方向のビューを捕捉するために、テーブル１０５の中心Ｘ軸線の外側に移動する。しかしながら、センサ７０６のバリエーションは、テーブルが非平面であり、患者が配置されている平面の上でセンサ７０６を受承するように構成されている構造体を含むことができる。図１２Ｂはまた、複数の検知器７０６が本明細書で説明したように使用される追加の概念を示す。このような変形例では、センサ７０６は、本明細書に記載されているように移動されるが、最良の動作アライメントを有するセンサが、信号を生成するために使用されるであろう。
【０１２１】
安全ロックアウトの手順
エミッタからの放出を特定の目標距離に制限することが重要であるのと同様に、実用的な理由および認証の両者の様々な理由から、エミッタがキャプチャステージで適切に配向されている場合にのみ、Ｘ線放出装置を発射することが重要である。Ｘ線放出装置がステージに配向されていない状態で光子を放出することを防止することで、システムの安全性が向上し、エミッタの性能が向上する。図１４は、装置がエミッタの安全ロックアウトを管理し、Ｘ線画像を捕捉する処理を示す図であり、図１４において、符号に対応する符号が付されている。
【０１２２】
ステップ１  ユーザは、放出装置１１０を介して信号を送ることにより、典型的にはトリガを押すことにより、捕捉プロセスを開始する。エミッタは、捕捉要求、距離測定値（ｄ１、ｄ２、．．．）、およびエミッタの角度を含むデータパケット（Ｄ）を制御部に送信する。
【０１２３】
ステップ２ａ  制御部は、エミッタが安全な配向にあることを検証する。
【０１２４】
ステップ２ｂ  制御部がエミッタが安全で有効な配向にないことを発見した場合、制御部はエミッタにエラーメッセージを送信する。これにより、エミッタが発射されるのを防止し、また、問題があることをユーザに知らせることができる。
【０１２５】
ステップ３  ステージは、エミッタの位置に応じてセンサを位置決めする。ステージはセンサを傾けて、鮮明な画像を捕捉するために正しい配向になるようにする。配向は、可能な限り放出の相補角に近いものになる。
【０１２６】
ステップ４  続いてステージは、位置が確立された後に、制御部に確認メッセージを送信する。
【０１２７】
ステップ５  制御部は開始メッセージをエミッタに転送する。続いて、エミッタは、任意の追加の安全作業または準備作業を実行するであろう。エミッタが発射しても安全な環境であると判断した場合に、エミッタは続いて、Ｘ線を発射するであろう。
【０１２８】
ステップ６ａ  エミッタは、要求された時間だけステージでＸ線光子のパルスを発射する。
【０１２９】
ステップ６ｂ  Ｘ線光子ストリームの放出の間、エミッタは常に中央制御部に位置および角度の更新をストリームする。
【０１３０】
ステップ６ｃ  制御部はこれらの位置更新を記録するとともにステージに中継する。
【０１３１】
ステップ６ｄ  このステージでは、センサの位置および角度を迅速かつ常に更新し、Ｘ線画像を光学的に安定化させるであろう。
【０１３２】
ステップ７  センサは、エミッタからのＸ線光子の放出を捕捉するとともに画像を構築する。
【０１３３】
ステップ８  Ｘ線放出が完了すると、センサは制御部にデータを中継する。
【０１３４】
ステップ９  制御部は、続いて周知の様々な光学的向上技術を用いてセンサから画像を鮮明化する。該当する場合、制御部は、エミッタからの蓄積された移動データを活用して、出力をさらに向上させる。
【０１３５】
上記の処理により、エミッタは、他の任意の目標とは対照的に、センサおよびステージに向けられた放出を確実に行うことができる。センサを放出目標の下に移動させることで、ユーザは、被写体の位置を変えることなく、被写体の正確な所望の部分の解像度の高い柔軟な画像を生成することができる。
【０１３６】
図１５は、装置が透視画像を撮像する処理を説明するための図である。透視画像を撮像するための処理は、静止したＸ線画像を撮像することと非常によく類似しているが、透視プロセスは、動画像を生成するために、複数の放出および画像の撮像を繰り返すであろう。また、図１５において、符号に対応する符号を用いて、透視画像の撮像と同様に安全な放出を確保するための処理を行う。
【０１３７】
ステップ１  ユーザは、通常はトリガを押すことにより放出ハンドルを介して信号を送ることで、キャプチャ処理を開始する。エミッタは、捕捉要求、距離測定値（ｄ１、ｄ２、．．．）、およびエミッタの角度を含むデータパケット（Ｄ）を制御部に送信する。
【０１３８】
ステップ２ａ  制御部は、エミッタが安全な配向にあることを検証する。
【０１３９】
ステップ２ｂ  制御部がエミッタが安全で有効な配向にないことを発見した場合、制御部はエミッタにエラーメッセージを送信する。これにより、エミッタが発射されるのを防止し、また、問題があることをユーザに知らせることができる。
【０１４０】
ステップ３  ステージは、エミッタの位置に応じてセンサを位置決めする。ステージはセンサを傾けて、鮮明な画像を捕捉するために正しい配向になるようにする。配向は、可能な限り放出の相補角に近いものになる。
【０１４１】
ステップ４  続いて、ステージは位置決め後に、制御部に確認メッセージを送信する。
【０１４２】
ステップ５  制御部は開始メッセージをエミッタに転送する。続いて、エミッタは、任意の追加の安全作業または準備作業を実行するであろう。
【０１４３】
透視モードでは、エミッタ装置が追加の透視フレームを要求し続ける間、エミッタは以下のステップを繰り返すであろう。
【０１４４】
ステップ６ａ  エミッタは、要求された時間だけステージでＸ線光子のパルスを発射する。
【０１４５】
ステップ６ｂ  Ｘ線光子ストリームの放出の間、エミッタは常に中央制御部に位置および角度の更新をストリームする。透視処理の間のいずれかの時点で、手術ステージが放出がステージに配向されていないことを検知した場合に、手術ステージは、放出装置に終了信号を送信し、ステップ９に直接スキップする。
【０１４６】
ステップ６ｃ  制御部はこれらの位置更新を記録するとともにステージに中継する。
【０１４７】
ステップ６ｄ  ステージは、Ｘ線画像を光学的に安定化させるために、センサの位置および角度を迅速かつ連続的に更新する。
【０１４８】
ステップ７  センサは、エミッタからのＸ線光子の放出を捕捉するとともに画像を構築する。
【０１４９】
ステップ８  センサは直ちに画像を制御部に転送する。このとき、簡単な鮮明化処理が実行され、外部視聴装置に画像が表示される。この透視フレームはメモリに保存される。
【０１５０】
この処理を常に繰り返すことで、外部ディスプレイ上に動画像が生成される。この処理は、ユーザが放出装置のトリガを解除するまで繰り返されるであろう。
【０１５１】
ステップ９  ユーザが放出装置のトリガを解放すると、制御部は、周知の様々な向上技術を用いて、センサから保存されたフレームを「鮮明化」する。該当する場合、制御部は、エミッタからの蓄積された移動データを利用して、出力をさらに向上させる。制御部は、続いて透視フレームを１つの動画に合成して繰り返し再生するであろう。
【０１５２】
以上の処理により、ユーザは被写体の透視画像をリアルタイムで見ることができる。撮像が完了した後に画像を保存するとともに再処理することで、高品質な１つの透視映像を生成し、後で表示して確認することができる。
【０１５３】
自己適応型コリメータ
上述したように、本開示のシステムは、放出装置を物体に対して相対的な位置に移動させ、少なくとも１つの位置追跡要素が、放出装置と物体との間の距離を測定し、距離が予め定められた距離よりも小さくなるまでエネルギーの放出を防止し、システムは、少なくとも１つの位置追跡要素に対する放出装置の相対的な位置を決定することを可能にする。本明細書に記載されたシステムの変形例は、センサの作業面上の放出のプロファイルまたは境界を最適化する自己調整コリメータを使用することができる。本明細書に記載された他の変形例と同様に、これらのシステムは、放出装置の位置を、撮像センサを放出装置との操作可能なアライメントに調整するモータシステムに中継することができ、ここで、放出装置の位置を中継することは、放出装置の配向データを提供することと、複数の追跡要素のそれぞれからの距離を決定することとの両者のために放出装置を使用することを含む。しかしながら、自己調整コリメータを使用することにより、撮像センサ上の放出プロファイルを自動的に最大化することができる。
【０１５４】
図２０は、調整可能なコリメータの利点を説明するために、内部に撮像センサ（図示しない）を配置されたテーブル１１４に向けられたＸ線エミッタ１１０の表現を示す。撮像センサの作業領域１１６の境界は、Ｘ線放出の露光時に画像を生成する領域を例示するために示されている。図示のように、Ｘ線エミッタ１１０からのＸ線放出１２０のプロファイルは、Ｘ線エミッタをセンサとの操作可能な位置合わせから外すように、撮像センサの作業領域１１６の境界を越えて延びている。このような場合、本明細書に記載されているようなシステムは、Ｘ線エミッタ１１０の発射または初期化を許可しない。図２０の説明図は、システムが作動可能な位置合わせから外れているという概念を説明するためのものである。本明細書に記載されているように、撮像センサは、放出プロファイル１２０と整列するようにセンサを移動させるために、モータシステムに結合することができる。これに代えて、テーブル（または操作面）１１４は、非可動センサまたはセンサの作業領域１１６に対するエミッタ１１０の位置および距離を測定を可能にする複数の位置追跡要素（図２０には図示しない）を含むことができる。
【０１５５】
図２１Ａは、放出プロファイル１２０が、エミッタがセンサ１１６と作動的に整列しないようにセンサ１１６を越えて延びている状況を表している。図示の目的のために、図２１Ａおよび図２１Ｂに示すセンサ１１６は静止しており、追跡要素１１８により、システムはセンサ１１６に対するエミッタ（図示しない）の相対的な位置、配置、および距離を測定することができる。また、放出プロファイル１２０は、放出装置によって提供される放出の境界を表すものとして図示されている。図示の目的のために、図示されたプロファイル１２０は、エミッタの軸線がセンサ１１６に対して直交する場合に生じるであろうプロファイルである。
【０１５６】
本明細書に記載されているように、システムが図２１Ａで示された状態で操作可能な位置合わせを確立できない場合、操作者はエミッタの位置を調整するように促される。いくつかの変形例では、システムは、非アライメントの可聴または視覚的インジケータのようなフィードバックを提供することができる。図２１Ｂは、放出プロファイル１２０がセンサ１１６の境界内にあるようなエミッタの再配置後の状況を示す。しかしながら、図示のように、この放出プロファイル１２０は、センサ１１６の寸法に対して最大化されていない。センサに対する放出プロファイル１２０の最大化の失敗により、より小さいプロファイルに調整するために、操作者は被写体の追加の放射線画像を撮影することが必要とされ得る。
【０１５７】
図２２Ａは、調整可能なコリメータの効果を説明するための図である。繰り返すが、説明のために、図示の放出プロファイルは、センサに直交するエミッタによる照明を表している。図２２Ａは、プロファイル１２０によって拘束される放出領域の一部がセンサ１１６の外側に当たるならば、通常、撮像センサ１１６との操作的な整合性から外れていると考えられるであろう、調整されていない放出プロファイル１２０を示している。しかしながら、本明細書に記載されたシステムの一態様では、エミッタに固定された構成要素（上述したように）の他、位置追跡要素１１８にも依存して、エミッタの配向、およびエミッタとセンサ１１６との間の距離などの位置情報を決定することになる。システムは、位置情報を使用して、調整された放出プロファイル１２２を生成するために、エミッタ上のコリメータを回転させ、かつ／またはエミッタによる放出をスケーリングするように調整するであろう。この変形例では、図示のように、調整された放出プロファイル１２２は、サイズが縮小され（矢印１２６で示される）、さらに回転され（矢印１２４で示される）、放出プロファイル１２０を、撮像センサへの露光を最大化する調整された放出プロファイル１２２にスケーリングする。調整された放出プロファイルは、必要に応じて拡大縮小したり、回転させたりすることができることに留意する。さらに、システムの変動は、センサ１１８に対するエミッタのリアルタイムの動きの間に調整されたプロファイルを生成するであろう。
【０１５８】
図２２Ｂは、調整された放出プロファイル１２２とともに、未調整放の出プロファイル１２０を図示しており、両者の場合において、プロファイルは、放出経路の軸線がセンサ１１６に対して直交しないか、法線ではないために、二等辺形台形形状に類似している。しかしながら、この変形例では、システムは、位置情報を使用して、イメージセンサ１１６上の露光領域を最大化する調整プロファイル１２２を生成する。
【０１５９】
本明細書に開示された変形例は、追跡要素１１８の他、放出ユニット内のセンサ（本明細書に記載されているように）にも依存している。調整された放出プロファイルを生成するシステムの変形例はまた、放出装置と撮像センサとの間の相対運動を決定するために、外部カメラ、センサ、または機械的支持体から得られる位置データと組み合わせて使用することができる。
【０１６０】
図２３は、放出装置（図２３に示さない）において、または放出装置と組み合わせて使用することができる調整可能なコリメータ１３０の変形例を示す。図示のように、調整可能なコリメータ１３０は、（図２０乃至２２Ｂで議論されているように）撮像センサ上に調整された放出プロファイルを生成するために、開口または放出窓１３２を回転および／またはスケーリングすることができる。調整可能なコリメータ１３０のこの変形例では、開口１３２の配向を調整するために移動および回転可能な複数のブレードまたはリーフ１３４が使用される。ブレード１３４により、エネルギーが開口または放出窓１３２を通過することが制限されるように、放出されたエネルギーの通過が防止される。
【０１６１】
ブレードの移動および回転は、任意の数のモータまたは駆動部によって駆動することができる。図示の変形例では、調節可能なコリメータ１３０は、近位側旋回ベアリング１５２に結合された第１の駆動部１３８と、遠位側旋回ベアリングに結合された第２の駆動部１３６とを有するモータアセンブリを含む。駆動部１３６，１３８は、開口１３２のサイズ調整と同様に、ブレード１３４の回転を調整する。例えば、モータ１３６，１３８の反対方向への回転により、旋回ベアリングの反対方向への回転が引き起こされ、開口１３２を開閉させるためのブレード１３４の動きが生じる。図示の例では、第１の駆動部１３８が時計回り方向に移動し、第２の駆動部１３６が反時計回り方向に移動すると、ブレード１３４は、開口１３２の大きさを減少させるように互いに向かって移動するであろう。同様に、第１の駆動部１３８が反時計回り方向に移動し、第２の駆動部１３６が時計回り方向に移動すると、ブレード１３４は、開口１３２の大きさを増大させるように互いに離間するように移動するであろう。駆動部１３８，１３６が同一方向に移動すると、これにより、近位側旋回ベアリング１５０および遠位側旋回ベアリング１５２が同一方向に回転し、これによりブレードが回転し、これにより開口１３４が回転する。
【０１６２】
調整可能なコリメータ１３０は、すべてのブレード１３４が開口の大きさを調整するために移動するので、ほぼ正方形に近い形状を有する開口１３２を維持する。装置の追加の変形例は、ブレードの角度方向をさらに制御するための任意の数の追加のモータまたはアクチュエータを含むことができる。この場合、開口１３４は、正方形の形状に限定されず、二等辺形の台形の形状を想定することができる。このような特徴は、撮像センサに対する放出エネルギーの軸線の配向にかかわらず、正方形の放出プロファイル（図２２Ａに示すようなもの）を維持することを支援することができる。
【０１６３】
また、図２３に示す調整可能なコリメータ２３０の変形例は、モータ１３６，１３８によって駆動される歯車１４４の運動をブレードの回転および移動に変換する駆動機構（例えば、ベアリング、プーリ１４４、ベルト１４６など）を収容する筐体またはハウジング１４０を含む。さらに、調整可能なコリメータ２３０は、システムが開口の大きさおよび回転方向に関する情報を維持することを可能にする任意の数の位置追跡システムを含むであろう。例えば、任意の従来の光源、センサ、マスク、およびフォトセンサ（例えば、フォトダイオード）を使用することができる光学式エンコーダシステムの一部として、第１の可動ディスク（またはエンコーダホイール）１４２が示されている。
【０１６４】
図２４Ａは、ブレード１３４によって形成された開口１３２を回転させてスケーリング調整するために使用される機構の変形例を説明するための、調整可能なコリメータ１３０の一例を示す分解図である。図示のように、モータ１３６および１３８に結合されたプーリ１４４は、カム／ピンアセンブリ１４８に結合されたベルト１４６を回転させる。ブレード１３４は、カム／ピンアセンブリ１４８内に収容されているが、図示の目的のために、カム／ピンアセンブリ１４８は、ブレードなしで示されている。アセンブリ１４８は、それぞれがベルトシステム１４６を介して対応するモータ１３６，１３８に結合されたカムホイール１５０および近位側旋回ベアリング１５２から構成される。ブレード１３４は、旋回ベアリング１５０，１５２の回転により上述したように開口１３２のスケーリングが生じるように、旋回ベアリング１５０，１５２のアセンブリ１４８内の１つ以上のピン１５４に結合されている。このスケーリングは、ブレード１４２への接近またはブレード１４２からの離間の移動によって生じる。開口１３２の回転は、旋回ベアリング１５０，１５２の同一方向への回転によって生じる。
【０１６５】
図２４Ｂは、調整可能なコリメータ１３０のいくつかの構成要素を示す正面図である（図示のために、いくつかの構成要素は除去されている）。図示のように、開口１３４は、ブレード１３４によって囲まれた領域によって規定されている。各ブレードは、一端でピン１５４に結合されている。ブレード１３４の反対側の端部は、スロット１５６内にベアリング１５８を含む。モータ１３８の作動により、ブレード１３４がピン１５４を中心として枢動している間、スロット１５６内のベアリング１５８は移動され、これにより、ブレードは、開口１３２において（回転方向に応じて）互いに接近するか、または（回転方向に応じて）遠く離間するように移動し、開口１３２のスケーリングを生じる。開口１３２の回転は、モータ１３６がカムホイール１５０（図２４Ａに示す）を回転させると生じる。上述したように、開口１３２の回転は、旋回ベアリング１５０，１５２を同一方向に回転させることを必要とする。
【０１６６】
図２４Ｃは、調整可能なコリメータ１３０のうちのいくつかの構成要素を示す背面図である（図示のために、いくつかの構成要素は除去されている）。図示のように、コリメータ１３０は、ブレード１３４の動きを追跡するために任意の従来の光源、センサ、マスク、フォトセンサ（例えば、フォトダイオード）を使用することができる光学式エンコーダシステムの一部として示される第２の可動ディスク（またはエンコーダホイール）１６０を含む。
【０１６７】
図２５Ａおよび図２５Ｂは、上述したような調整可能なコリメータ１３０を有するエミッタ１６４の一例を示す。図示のように、調整可能なコリメータは、システムの位置追跡要素からのエミッタの距離および配向に関する情報に基づいて、開口１３２を回転させるとともにスケーリング調整することができる。開口１３２のスケーリングおよび回転は、自動的に行われてもよいし、要求に応じて行われてもよい。図２５Ａおよび図２５Ｂは、ケーブル１６６を有するエミッタの変形例を示す。他の変形例では、エミッタおよび調整可能なコリメータは、本明細書に記載されているように、完全に携帯可能なエミッタに使用することができる。
【０１６８】
図２４Ｃの光学式エンコーダ１６０は、患者の安全を確保するためにリーフまたはブレードの位置決めを確実に行う。また、エンコーダ１６０は、故障状態を生じさせる可能性のある任意の数の条件を判定することを支援することができる。例えば、エンコーダは、次のような状態を検知することができるが、これらに限定されない。状態とはすなわち、駆動ベルトがギア上の歯をスキップする、駆動ベルトが破損または張力を失う、モータの故障、リングギアの破損、リーフピンの破損など。このような故障状態を検知することにより、患者または操作者が過剰な放射線に曝されることを回避するために、放出源がトリガされることを防止することができる。
【０１６９】
図２６Ａ乃至２６Ｊは、本明細書で論じたコリメータの変形例による方法の一例を示す図である。回転するコリメータは、装置の機械的動作およびアライメントを検証するために実行される２つのプロセスを有している。Ｘ線管からの電離放射線の放出のため、操作者が追加の放射線にさらされる前に、物理的な損傷を発見し、使用前に装置の機械的機能を検証することが不可欠である。この装置の自由に移動できる、縛られていない設計により、コリメータに追加の課題が生じ、課題とはすなわち、Ｘ線検知器の任意のアライメントに車輪の位置の指標を付けることである。コリメータは、装置の最小／最大開口位置および０°位置を決定するためのホーミング処理を実行する。ホーミング処理は、コリメータの絞り制御に必要なゼロ配向基準を確立する。リーフ検知処理は、開口の大きさ調整の全範囲を検証することにより、装置の物理的な動作を検証する。
【０１７０】
図２６Ａは、コリメータ装置のリーフのランダムな位置を示す図である。この位置は、前の操作の後、前の手順または他のシナリオからの装置の配向であろう。装置は、ホーミング処理の後まで、開口や配向を知ることができない。この装置は、リーフの位置を監視するための（１）（２）（３）光学センサと、一対のベルト（１０）（１１）で接続された遠位側旋回リング（１２）および近位側旋回リング（１３）を駆動するための（４）（５）モータとから構成されている。４つのコリメーションリーフ（６）（７）（８）（９）は、一対で旋回リングに接続されている。
【０１７１】
光学式センサ（１）（２）（３）は、センサの真正面にあるリーフ材の有無を検知することで動作する。センサの正面にリーフ材がない場合は、センサが開いていると考えられる。リーフ材の存在が検知された場合には閉鎖されていると判断される。
【０１７２】
ホーミングの手順：
ステップ１：開放位置−ホーミング手順は、装置の電源が入っているとき、装置がアイドル状態にあるとき、または装置がドリフトを検知したときにいつでも実行される。装置は、装置がリンクによって遠位側リング内の動きを検知するまで、近位側リングを回転させることによって開始される。図２６Ｂは、ホームキーウェイ（１４）の視認性によって図示されたこのシナリオの非決定位置を示す。このアライメントにより、光センサ１は、キーウェイがセンサの真正面にあるときに開状態を検知することができる。これはコリメータの全開位置である。
【０１７３】
ステップ２：０度位置、最大絞り−図２６Ｃは、０度位置、最大絞り位置を示している。一旦全開位置が判定されると、装置は近位側リングおよび遠位側リングを同時に回転させ、これによりリーフアセンブリを回転させるであろう。システムは、センサレジスタが開く（１５）まで光センサ１の状態を監視するであろう。この開放信号は、キーウェイが全開位置のセンサの位置に回転したことを示している。その後、システムはこれを全開の０度の位置として登録した。
【０１７４】
ステップ３：０度位置、最小開口−デバイスはその後、近位側スルーリング内の動きを検知するまで遠位側スルーリングを回転させるであろう。この動きが検知されると、システムは、次に、図２６Ｄに示すように、０度の最小開口位置を登録するであろう。
【０１７５】
これらの位置は、現在の運用セッションに登録される。モータの位置が記録された状態で、装置は、他の任意の必要な位置へのモータおよびスルーリングの相対的な動きを計算することができる。
【０１７６】
損傷検知手順：
上述のように、完全に動作し、損傷のないコリメータは、コリメーションシステムの安全性および性能に不可欠である。さらに、装置を介して放出される前に、損傷や流れ（ｄｒｉｆｔ）を検知することが重要である。性能を保証するために、装置は各リーフの位置決め状態を連続して確認するであろう。
【０１７７】
最低でも各リーフの１回の確認は必要であるが、この処理の安全性を考慮して、例示的な装置では３つの位置の確認を使用している。光センサアレイ（１）（２）（３）は、個別のリーフの性能を検証するために使用されるが、任意の数のセンサが処理を実行するために使用され得る。確認の順番は変わり得る。一旦最初のリーフ（１６）の３段階の処理が完了すると、処理は、リーフ２（１７）、リーフ３（１８）、リーフ４（１９）を検証するように進められるであろう。この処理は、リーフの数に関わらず適用される。
【０１７８】
ステップ１：最大開口の検証−ホーミング処理が完了した後しばらくして、装置は、完全に開いた開口を形成するために必要に応じて近位側リングおよび遠位側リングの両者を移動させることによって、リーフアセンブリを図２６Ｅに示す光学センサ１の閉鎖位置（２０）に回転させるであろう。その後、装置は、図２６Ｆに示すように開口を縮小するためにリングを移動させることにより、直ちに光学センサ１の開放位置に移動するであろう。装置の計算された動きが光学センサ１（２１）の物理的フィードバックと一致する場合、装置はリーフ１（１６）の最大開口位置を検証したことになる。
【０１７９】
ステップ２：中間開口の検証−ホーミング処理が完了した後しばらくして、装置は、中間まで開いた開口を形成するために必要に応じて近位側リングおよび遠位側リングの両者を移動させることによって、リーフアセンブリを図２６Ｇに示す光学センサ２の閉鎖位置（２２）に回転させるであろう。その後、装置は、図２６Ｈに示すように開口を縮小するためにリングを移動させることにより、直ちに光学センサ２の開放位置に移動するであろう。装置の計算された動きが光学センサ２（２３）の物理的フィードバックと一致する場合、装置はリーフ１（１６）の最大開口位置を検証したことになる。
【０１８０】
ステップ３：最小開口の検証−ホーミング処理が完了した後しばらくして、装置は、最小開口を形成するために必要に応じて近位側リングおよび遠位側リングの両者を移動させることによって、リーフアセンブリを図２６Ｉに示す光学センサ３の閉鎖位置（２４）に回転させるであろう。その後、装置は、図２６Ｊに示すように開口を縮小するためにリングを移動させることにより、直ちに光学センサ３の開放位置に移動するであろう。装置の計算された動きが光学センサ３（２５）の物理的フィードバックと一致する場合、装置はリーフ１（１６）の最大開口位置を検証したことになる。
【０１８１】
一旦リーフ１に対してステップ３が完了すると、装置は各リーフに対して手順を繰り返し、各リーフが期待した位置に確実にあるようにするであろう。
【０１８２】
図２７並びに図２８Ａおよび図２８Ｂは、本明細書に記載されているようなセンサ構成を有する放射線システムが、Ｘ線または透視撮像の品質を向上させることができる別の態様を示している。
【０１８３】
Ｘ線または透視撮像の品質は、被写体の物理的属性の数に関係している。これらの要素は、放射線源／エミッタの放射特性を制御する一連の技術的要因（例：電力、電流、時間など）を規定している。これらの要因を、放射線画像を閲覧する個人が、被験者に過剰な放射線を浴びせることなく、必要な視覚的要素を識別できるような組み合わせで設定することは、装置操作者の責任である。
【０１８４】
これらの技術要素の設定は複雑になり得る。従来の透視装置では、これらの技術を主導で設定する操作者の負担を軽減するために、自動化処理を実施していた。典型的なアプローチは、ソフトウェアまたはハードウェアの線量検知器をプレート上に使用して、放射線を加えながら徐々に充填していく。この従来のアプローチには、いくつかの課題がある。
【０１８５】
従来のアプローチの大きな課題としては、動きがある。放射線は長時間にわたって被験者を被曝しているため、被験者、操作者、機械、被験者の体内の血管などに、あらゆる動きが発生し、画像を著しく劣化させるモーションアーチファクトが生じる。
【０１８６】
もう１つの課題は、露光前に透過要件がわからないことであり、したがって、線源は所定の電力レベル（ｋＶ）で放射線を放出する際に、画像をレンダリングするのに十分な透過が得られないことがよくある。このように画像をレンダリングできないことにより、患者、操作者、およびスタッフは、有用な放射線画像を得ることなく放射線にさらされることになる。このような場合、これらのヒトは臨床上の目的を果たさない過剰な放射線にさらされることになる。
【０１８７】
本明細書に記載されたシステムを含むがこれらに限定されない透視装置の分野における革新は、露光計算に必要な物理的要素の数を直接測定することが可能な複雑なセンサアレイを有する新世代の機械を創出する。
【０１８８】
これらのセンサを装置および被写体の全範囲にわたって利用し、堅牢な機械学習技術を活用することで、露光前に必要な技術を計算し、モーションアーチファクトを排除し、優れたキャプチャを作成することが可能になるが、その一方で、すべての線量を低減することができる。
【０１８９】
以下の説明は、本発明が理解されるように、本発明の例示的な詳細を提供するものである。これらの詳細を採用することなく、本発明を実施するために、小さな工学的調整を採用することができた。本発明は、外科目的のためのＸ線撮像における用途に関して記載されているが、一般的な医学的撮像、獣医学的撮像、および骨密度測定を含むがこれらに限定されない他の医学的用途で使用することができる。本発明は、産業用撮像、金属疲労検査、溶接検査、セキュリティ検査などの非医療用途に使用することができる。
【０１９０】
図２７は、従来のＸ線自動露光処理方法の一例を示す図である。医師または操作者は、Ｘ線の撮影を要求することにより、露光を開始する（ステップ１）。Ｘ線装置は、続いて撮像センサプレート上で受け取られた放射線の量を追跡しながら、検知器を評価するであろう（ステップ２）。Ｘ線装置の内部測定により、このエネルギーが画像を生成するのに十分な露光量であるかどうかが判断されるであろう（ステップ３）。適切な量の放射線が収集されたと装置が判断した場合（ステップ４ａ）、露光が完了したと判断し、Ｘ線を表示するであろう。ユーザがＸ線をキャンセルするか、または線量が蓄積されている時間が長すぎた場合、機械は露光をキャンセルするであろう（ステップ４ｂ）。あるいはこれに代えて（ステップ４ｃ）、画像が生成されるか、時間切れになるか、またはユーザが露光をキャンセルするまで、装置は放射線を放出し続け、評価ステップに戻るであろう。
【０１９１】
従来の処理はいくつかの短所を有するが、２つの最大の短所は、画像が表示される保証がないまま露光が開始されることと、露光を評価するのにかかる時間が最終的な画像に動きのアーチファクトを導入し、使い物にならないＸ線を生成してしまうことにある。いずれの場合も、患者、操作者、スタッフが不要な放射線を浴びることになり、安全性に大きな影響を与える。
【０１９２】
図２８Ａおよび図２７Ｂは、図２７で説明した従来の方法よりも改善されたアプローチを例示する。改良されたアプローチは、操作者、スタッフ、および患者を不必要なまたは過剰な放射線に曝すことなく、確実かつ効果的な放射線画像を生成するための最適な技術的要因を決定することができる。包括的なセンサアレイを有する放射線撮像装置と、機械学習技術の企業規模のアプリケーションとを利用することにより、システム２０は、任意の放射線が放出される前に、技術を計算するとともに洗練させることができる。これにより、操作者は、装置の位置合わせを正確に行うことができ、装置が解剖学的組織を撮像することができるかどうかを理解することができる。
【０１９３】
図２８Ｂは、図２８Ａの撮像処理で使用するために統計データをコンパイルする方法の一例を示す。実際には、多数の統計モデルが中央サーバ（図２８Ｂに示す）からシステム２０に送信される。これらのモデルは、コンピュータビジョン分類器（１ａ）および推定器更新（１ｂ）と呼ばれ、操作者が露光を要求する前に使用できるように機械にローカルに保存されている。
【０１９４】
図２８Ａに目を向けると、処理は、操作者がキャプチャを開始する（２）ことから開始することができる。操作者は、続いて装置の位置決めシステムを使用してエミッタと解剖学的組織との位置合わせを行い（３）、安全チェックを完了した後、自動技術検知（上述したように）を実行する。Ｘ線システムの正確な地形に応じて、ＣＰＴコード情報（４ａ）および／または生体情報（４ｂ）は、操作者によって入力されるか、または自動手段によって他のシステムから抽出されてもよい。
【０１９５】
システムがＸ線または透視撮像のためにエネルギーを放出する準備をしている間、２つの同時測定収集が行われる、すなわちオンデバイスセンサ収集（５ａ）およびコンピュータビジョン分類（５ｂ）である。
【０１９６】
センサ収集は、装置上のアレイを使用して、線源から皮膚までの距離（ＳＳＤ）、線源から検知器までの距離（ＳＤＤ）、入射角、周囲環境、Ｘ線管および装置の温度などを含むがこれらに限定されない複数の入力パラメータを収集する。これらのパラメータはすべて推論実行関数（６）に供給される。
【０１９７】
コンピュータビジョン分類器は、装置に搭載された撮像カメラを利用して、被写体の解剖学的組織の画像を撮影する。これらの画像は、中央サーバから提供された撮影画像と装置にローカルに保存されているＣＶクラシファイアデータを用いて、ＣＶ解析機能に渡される。これらの処理は、キャプチャのその被写体について決定を行い、その推薦を推論実行エンジンに渡す。
【０１９８】
一旦入力が装置の様々なサブシステムから収集されると、それらの値は、中央サーバによって提供される推定器アップデートとともに、装置の推論実行エンジンに対して実行される（６ａ）。この関数ファミリーの出力は、決定されたＸ線技術である時間、ｋＶ、ビーム電流である（７）。
【０１９９】
演算された値に装置出力が設定され、所定の設定のために放射線が放射され（８）、画像が撮影されて処理され（９）、画像がユーザに表示される（１０）。
【０２００】
Ｘ線が操作者に表示されるとすぐに、システムは、相互作用監視システムにおいて操作者の相互作用の監視を直ちに開始する（１１）。このシステムでは、操作者が画像に対して行うすべての相互作用、例えば明るさ、シャープネス、コントラスト、位置、ズーム、回転などの変化を含む相互作用を記録する。操作者がＸ線または透視撮像の検査に費やした時間も記録される。
【０２０１】
ステップ１２ａ乃至１２ｄにおいて、システムは、キャプチャデータを中央処理システムに提出するであろう。提出されたデータには、キャプチャの４つの主要な要素が含まれており、これらはすなわち（１２ａ）ＳＳＤ、温度などの直接測定情報、（１２ｂ）明るさの変化や、キャプチャの検査に費やした時間などの相互作用ヒューリスティック、（１２ｃ）生体情報、関連付けられるＣＰＴコードの他、コンピュータビジョンのキャプチャとその結果の分類出力など、手術の詳細が含まれ、（１２ｄ）検知器からの生のキャプチャデータの他、機械の詳細やソフトウェアのバージョンなどのキャプチャに関連付けられる情報が含まれる。
【０２０２】
このキャプチャ情報は、将来の処理のために、対応するデータベース１３ａ、１３ｂに中央処理システム上に格納される。
【０２０３】
予定された時刻になると、中央処理システムは、洗練された回帰分析を用いて、推定器ラベルを訓練するであろう（１４）。普遍的に捕捉されたＸ線の大断面にわたるセンサデータ、捕捉データ、および手術データ間の統計的関係の他、前回の推定器生成の結果を検討することにより（１４ａ）、システムはより正確なラベルにデータを適合させることができる。訓練ステップの出力は、新しい推定器である（１７）。
【０２０４】
ラベル訓練ステップ（１４）と同様に、Ｘ線および透視撮像データ、手術詳細データ、および分類器データは、分類器精緻化処理を用いて訓練されるであろう（１５）。この処理では、膨大な数の入力Ｘ線からの大きな捕捉断面積を利用して、より精度の高い分類器を生成する（１６）。
【０２０５】
現場のＸ線装置の地形に応じて、中央処理システムは、新しい推定器（１８）および分類器（１９）をできるだけ早く装置に送信するであろう。そして、これらの更新を装置のローカルストレージ（１ａ）、（１ｂ）にロードし、新しいアルゴリズムを適用して、精度をさらに向上させるとともに自動露光の線量を低減する。
【０２０６】
上記の説明は、本発明の理解を提供するために本発明の例示的な詳細を提供するが、本発明の趣旨または範囲から逸脱することなく本発明を実施するために、ルーチンの工学的調整を採用してもよい。さらに、本発明は、外科目的のためのＸ線撮像における用途について記載されているが、一般的な医用撮像、獣医学的測定および骨密度測定などの他の医療用途で使用することができる。また、本システムおよび方法は、産業用撮像、金属疲労検査、溶接検査、セキュリティ検査などの非医療用途にも使用することができる。
【図１Ａ】
2021532960.tif 000004
【図１Ｂ】
2021532960.tif 000005
【図１Ｃ】
2021532960.tif 000006
【図２】
2021532960.tif 000007
【図３】
2021532960.tif 000008
【図４】
2021532960.tif 000009
【図５】
2021532960.tif 000010
【図６】
2021532960.tif 000011
【図７】
2021532960.tif 000012
【図８Ａ】
2021532960.tif 000013
【図８Ｂ】
2021532960.tif 000014
【図９】
2021532960.tif 000015
【図１０Ａ】
2021532960.tif 000016
【図１０Ｂ】
2021532960.tif 000017
【図１１Ａ】
2021532960.tif 000018
【図１１Ｂ】
2021532960.tif 000019
【図１２Ａ】
2021532960.tif 000020
【図１２Ｂ】
2021532960.tif 000021
【図１３】
2021532960.tif 000022
【図１４】
2021532960.tif 000023
【図１５】
2021532960.tif 000024
【図１６】
2021532960.tif 000025
【図１７】
2021532960.tif 000026
【図１８】
2021532960.tif 000027
【図１９】
2021532960.tif 000028
【図２０】
2021532960.tif 000029
【図２１Ａ】
2021532960.tif 000030
【図２１Ｂ】
2021532960.tif 000031
【図２２Ａ】
2021532960.tif 000032
【図２２Ｂ】
2021532960.tif 000033
【図２３】
2021532960.tif 000034
【図２４Ａ】
2021532960.tif 000035
【図２４Ｂ】
2021532960.tif 000036
【図２４Ｃ】
2021532960.tif 000037
【図２５Ａ】
2021532960.tif 000038
【図２５Ｂ】
2021532960.tif 000039
【図２６Ａ】
2021532960.tif 000040
【図２６Ｂ】
2021532960.tif 000041
【図２６Ｃ】
2021532960.tif 000042
【図２６Ｄ】
2021532960.tif 000043
【図２６Ｅ】
2021532960.tif 000044
【図２６Ｆ】
2021532960.tif 000045
【図２６Ｇ】
2021532960.tif 000046
【図２６Ｈ】
2021532960.tif 000047
【図２６Ｉ】
2021532960.tif 000048
【図２６Ｊ】
2021532960.tif 000049
【図２７】
2021532960.tif 000050
【図２８Ａ】
2021532960.tif 000051
【図２８Ｂ】
2021532960.tif 000052
【国際調査報告】
2021532960.tif 000053
2021532960.tif 000054
2021532960.tif 000055